(57)【要約】      （修正有）【課題】片手のみのワン摘み操作による煩わしさのない軽快な上下移動止め操作および微妙な位置決め調節操作を可能とする付勢巻取り装置および付勢巻取り式ネックストラップ装置を提供する。【解決手段】  付勢巻取り装置３は、筐体１１、前プレート９と後プレート１０の中央に固定された軸（図示せず）、軸に内側端を固定された発条（図示せず）、発条を内設するような形態で発条の外端を固定してなる発条で回転付勢されてなるリール（図示せず）、リールに両側から巻き取られた巻取り紐１３、１４、筐体１１の両側に回転自在に設けられた巻取り紐１３を案内する案内コロ１５、１６とからなる付勢巻取り装置本体１７と、巻取り紐１３、１４を案内する案内コロ１８、１９からなる巻取り紐案内部２０と、巻取り紐案内部２０の上部に設けられた、巻取り紐１３、１４を通し且つその移動をロックしたりロック解除したりするロック体２１とからなっている。【選択図】図１
2008043719.tif 000002
【特許請求の範囲】
【請求項１】
筐体、この筐体に設けられた発条、この発条により付勢巻取り回転する該筐体に内設されたリール、このリールに巻取られた巻取り紐とからなる付勢巻取り装置本体と、
前記筐体から引き出された前記巻取り紐を通する紐通し部を有し、前記紐通し部を通された前記巻取り紐を他の部位とで付勢挟持ロックするロック部を備えた摘み抑え込みロック解除部を前部ないし後部に設け、この摘み抑え込みロック解除部を常に押し付勢する付勢手段を設け、指で摘み前記摘み抑え込みロック解除部を押え移動させて前記ロック部による前記巻取り紐の付勢挟持ロックを解除し、指を離すと前記付勢手段により前記ロック部と前記紐通し部とによる前記巻取り紐の付勢挟持ロックが自動的に行われるロック体と、とからなることを特徴とする付勢巻取り装置。
【請求項２】
付勢巻取り装置本体とロック体が直接的にあるいは他の部材や部位を介して一体化されてなることを特徴とする請求項１記載の付勢巻取り装置。
【請求項３】
筐体と、
この筐体に設けられた発条と、
この発条により付勢巻取り回転する該筐体に内設されたリールと、
このリールに巻取られた巻取り紐と、
この巻取り紐を前記筐体外に引き出す引出し口と、
この引出し口と前記リールの間に設けられた前記筐体と一体の摘み抑え込みロック解除部支持案内部と、
この摘み抑え込みロック解除部支持案内部の前方ないし後方に開口された摘み抑え込みロック解除部突出口と、
前記摘み抑え込みロック解除部支持案内部に可動するように収められその一部を前記摘み抑え込みロック解除部突出口から外に突出させてなる摘み抑え込みロック解除部と、
前記摘み抑え込みロック解除部を外側に常に押し出し付勢する付勢手段と、
前記摘み抑え込みロック解除部に設けられた、通された前記巻取り紐を前記引出し口などの前記筐体側ロック部位とで付勢挟持ロックするロック部と、からなり、
親指と他の指で前記筐体と前記摘み抑え込みロック解除部を摘み該摘み抑え込みロック解除部を押込み移動させて前記巻取り紐の付勢挟持ロックを解除し、指を離すと前記付勢手段により前記ロック部と前記筐体側ロック部位とによる前記巻取り紐の付勢挟持ロックが自動的に行われるようにしてなることを特徴とする付勢巻取り装置。
【請求項４】
筐体と、
この筐体に設けられた発条と、
この発条により付勢巻取り回転するリールと、
このリールに巻取られた巻取り紐と、
前記筐体の前部あるいは後部に指当て部位を位置させ、且つ、前記指当て部位から延長された形態で形成された抑え嘴部位を前記筐体の外側に位置させて、前記筐体から引き出された前記巻取り紐を前記筐体の外で前記抑え嘴部位で抑え挟持するクリップ形態の摘み抑え込みロック解除部と、とからなることを特徴とする付勢巻取り装置。
【請求項５】
筐体と、
この筐体に設けられた発条と、
この発条により付勢巻取り回転するリールと、
このリールに巻取られた巻取り紐と、
前記筐体の前部にあけられた開口部と、
この開口部に差し込まれて前記リールに当たり抑えて回転しないように付勢摩擦ブレーキ形態でロックするように機能する抑え嘴部位、前記抑え嘴部位を有してなる指当て部位、この指当て部位を前記筐体の前部あるいは後部に位置させてなるクリップ形態の摘み抑え込みロック解除部とからなることを特徴とする付勢巻取り装置。
【請求項６】
筐体と、
この筐体に設けられた発条と、
この発条により付勢巻取り回転する前鍔および後鍔により形成された紐巻取り溝を有するリールと、
このリールに巻取られた巻取り紐と、
前記筐体の前部あるいは後部の前記リールから外れる部位に形成された摘み抑え込みロック解除部通し穴と、
この摘み抑え込みロック解除部し通し穴に向かうように前記筐体の内側に固定された案内軸と、
この案内軸に設けられた押し出し付勢手段と、
前記案内軸に案内され移動可能に設けられた、その適宜な部位を前記リールの前記紐巻取り溝を形成する前記前鍔あるいは前記後ろ鍔に前記押し出し付勢手段の押し出し付勢力により当たって該リールを付勢摩擦ブレーキ形態でロックするリール当接ロック部を有する可動体と、
この可動体に設けられた前記摘み抑え込みロック解除部通し穴から外側に突出された前記筐体ごと指で摘み持って押し込むことにより前記リールに当っている前記リール当接ロック部を該リールから離してロック解除状態とするための摘み抑え込みロック解除部と、とからなることを特徴とする付勢巻取り装置。
【請求項７】
第1の巻取り紐を巻取る第1のリール、第２の巻取り紐を巻取る第2のリールが設けられ、
2つの摘み抑え込みロック解除部を連結して同時に動作させる、引き出された前記第1、第2の巻取り紐を外部に設けた二つの紐通し部と一つの摘み抑え込みロック解除部を有するロック体で同時にロック・ロック解除するようにするなどにより、ロックおよびロック解除が同時に行われるようにしてなることを特徴とする請求項１〜６いずれか記載の付勢巻取り装置。
【請求項８】
筐体内に第1の巻取り紐を巻取る第1のリール、第２の巻取り紐を巻取る第2のリールを設け、摘み抑え込みロック解除部通し穴、案内軸、押し出し付勢手段、リール当接ロック部、可動体、摘み抑え込みロック解除部が前記第1のリールと前記第2のリールの間に設けられ、前記リール当接ロック部が前記第1のリールと前記第2のリールの前鍔あるいは後ろ鍔のいずれかに同時に当接して、ブレーキ形態でロックし同時に離れてロック解除するようにしてなることを特徴とする請求項６記載の付勢巻取り装置。
【請求項９】
筐体の下部にプレートを形成し、前記プレートに面ファスナのフック側を形成し、前記筐体の一部ないし全部と前記プレートと、前記面ファスナのフック側とロック機構の一部を一体成形により1部品形態で形成してなることを特徴とする請求項１〜８いずれか記載の付勢巻取り装置。
【請求項１０】
付勢巻取り装置が請求項１〜６いずれか記載の付勢巻取り装置であって、前記付勢巻取り装置から引き出された巻取り紐に略３５ｃｍ〜略６０ｃｍの長さの首掛け紐部材を設け、この首掛け紐部位の端方に着衣に係止するためのクリップや安全ピンなどの着衣係止手段を設け、前記リールに前記首掛け紐部材が巻取れないようにするために、前記首掛け紐部材を巻取れない太さとしたり、前記首掛け紐部材と前記巻取り紐とを繋ぐ連結具を巻き込まれない大きさのものとしたりしてなることを特徴とする付勢巻取り式ネックストラップ装置。
【請求項１１】
付勢巻取り装置がリールを二つ設けてなるあるいは2本の巻取り紐が引き出せる形態の請求項１〜９いずれか記載の付勢巻取り装置であり、
略２５ｃｍ〜略５０ｃｍの首掛け紐部材の一方の端を前記巻取り紐の一方と繋ぎ、前記首掛け紐部材の他方の端を前記巻取り紐の他方と繋ぎ、前記リールに前記首掛け紐部材が巻取れないようにするために、前記首掛け紐部材を巻取れない太さとしたり、前記首掛け紐部材と前記巻取り紐とを繋ぐ連結具を巻き込まれない大きさのものとしたりしてなることを特徴とする付勢巻取り式ネックストラップ装置。
【請求項１２】
付勢巻取り装置の下方に携帯電話等の携帯品を取り付ける、前記携帯品が前記付勢巻取り装置と別体状態で回り裏返ないように、間隔をあけた2本の吊り紐や、プレートや、帯体、プレート型フック、連結部位付きプレート、連結部位付き針金体、面ファスナを設けたプレートなどの携帯品取付け部を設けてなることを特徴とする請求項１０，１１いずれか記載の付勢巻取り式ネックストラップ装置。
【請求項１３】
発条により巻取り付勢されたリール、このリールに付勢巻き取られる巻取り紐、この巻取り紐の引き出し引き込みをロックするロック部、指で摘み押し圧操作することにより前記ロック部のロック状態をロック解除状態とする摘み抑えロック解除部とを有する付勢巻取り装置と、
端方に前記巻き取り紐を取り付けてなる首に掛ける形態に形成され該形態が崩れないような部材によりなる首掛け部体と、とからなり、
前記ロック解除状態において前記摘み抑えロック解除部を抑える指を緩めると付勢力により前記ロック部が自動的にロック状態になることを特徴とする付勢巻取り式ネックストラップ装置。
【請求項１４】
付勢巻取り装置が請求項１〜９いずれか記載の付勢巻取り装置であることを特徴とする請求項１３記載の付勢巻取り式ネックストラップ装置。
【発明の詳細な説明】
【技術分野】
【０００１】
本発明は、携帯電話やＩＤカードなどを首から吊るし携行する付勢巻取り装置および付勢巻取り式ネックストラップ装置に関する。
【背景技術】
【０００２】
従来の付勢巻取り装置を有するネックストラップ装置には以下に述べるものがある。
（１）  特許文献１に、筐体（ケース）と、この筐体に固定され内側に突出した固定軸と、この固定軸に内端を固定してなる発条と、この発条の外端を固定してその戻り付勢力により付勢巻取り回転するリールと、このリールに一方の端を固定して該リールに巻取られる細帯状の首に掛けるストラップを形成する巻取り紐と、この巻取り紐を外に引き出す筐体の引き出し口と、この引出し口の対向する側に設けられた首掛けループを形成するように巻取り紐の他の端を固定してなる巻取り紐固定部と、リールの外周部に設けられた４つの突起と、リールの上方に設けられたリールの外周の突起に当たってリールの付勢戻り回転を止める、スプリングにより付勢され且つ上方に可動可能に設けられた可動フックと、この可動フックを上方に移動して当たっている突起から離れさせるための筐体の外側に突出するように設けられたロック解除部（リリースボタン）と、筐体の部から下げられたループ細紐からなる携帯電話などを吊り下げるためのループ細紐（松葉）と、とからなる発明が開示されている。
（２）  特許文献２に、筐体と、この筐体に固定され内側に突出した固定軸と、この固定軸に内端を固定してなる発条と、この発条の外端を固定してその戻り付勢力により付勢巻取り回転するリール（巻取りドラム）と、このリールに両端を固定して２重巻き形態で該リールに巻取られる細帯状や丸紐状の首掛けループを形成してなる巻取り紐（帯紐）と、筐体の中央に設けられた、押すとロックが解除されて付勢巻取り状態となり離すとロックされてリールの回転が止められるようにしてなるロックボタン機構と、された筐体の部から下げられたループ細紐からなる携帯電話などを吊り下げるためのループ細紐（松葉）と、とからなる発明が開示されている。
（３）  特許文献３に次の２つの発明が開示されている。
｛１｝図８〜図１１には、発条により巻取り付勢状態とされた2つのリール（巻取りドラム）をロック・ロック解除するための機構として、指で抑えスライドさせるロック方向にバネ１０で常に押されているストッパー９が設けられ、このストッパー９の内側にはボス９ａ（突起）が設けられ、リール側にはボス９ａが嵌る嵌合溝６ｂが設けられ、通常はバネ１０で付勢押されてボス９ａが嵌合溝６ｂに嵌ってリールはロックされていて、ストッパー９に指を当てスライドさせるとボス９ａが嵌合溝６ｂ（４箇所）から外れてリールのロック状態は解除され、ストラップ（巻取り紐）の巻取りと引出しは自在に行える発明が開示されている。
｛２｝図１２には、カム１４（回動軸）を有する回動可能とされた操作レバー１３と、この操作レバー１３の倒しによりカム１４に押されて可動する押圧部材１２と、筐体などの一部からなる固定部材１１とからなり、押圧部材１２と固定部材１１の間に通したストラップ２（巻取り紐）を操作レバー１３の倒し操作によるカム１４の回動により押圧部材１２を可動せて、該１２と固定部材１２でストラップ２を挟持ロックする発明が開示されている。
（４）  特許文献４に、ケース１１・１２の中の中空軸１５にドラム２（リール）が回転可能に軸支されており、そのドラム２の外周には、そのベルト３（巻取り紐）が外部から引き出し可能に巻回され、ドラム２の内部には、そのベルト３の巻取バネ４を偏位して内装し、ドラム２の内周壁には第１係合凸部２１を４箇所突出形成する一方、第２係合凹部５１を４箇所周設する押しボタン５を、押し上げバネ６内設した中空軸１５に該６により弾圧的に軸支させ、その状態で第１係合凸部２１に押しボタン５の第２係合凹部５１が係合しており、押しボタン５を押し上げバネ６の弾圧に抗して押し下げることにより、押しボタン５の第２係合凹部５１と前記ドラムの第１係合凸部２１の係合が解除されロック解除状態となる発明が開示されている。
【０００３】
【特許文献１】特開２０００−７８０４８号公報（図８〜図１１）
【特許文献２】実用新案登録第３０７０７８９号公報
【特許文献３】特開平９−２９９１２８号公報
【特許文献４】特開２００２−１６５６２７号公報
【非特許文献１】特になし
【発明の開示】
【発明が解決しようとする課題】
【０００４】
（１）特許文献１の発明は次のような欠点を有するものであった。
｛１｝首掛けループを含めて全部を巻取る形態であるため、巻取り紐の長さが長くなり（量が多くなり）付勢巻取り装置（筐体）が大型になってしまう。
｛２｝巻取り紐の他の端を固定した形態であるため、付勢巻取り装置の上下移動の度に首に掛っている部位が移動して、首の後ろで擦れてしまい、大変使用感が悪い。
｛３｝リールのロック形態がリールの４つの突起により行われるので、停止精度が悪く好みのところで自在にロックし止めることができない、停止箇所が限定されてしまう、微妙な止め位置の微調整ができない。
これは例えば、フック面ファスナを設けた携帯品振れ止め具を着衣の好みの場所に取り付け、ループ面ファスナを設けた携帯電話を面ファスナ同士の係着機能により係止保持する場合に、ネックストラップで首から下げた該携帯電話の携帯品振れ止め具への係止位置が、好みの最適の吊り位置となるように微妙な位置調節を行うことができないものである。
また例えば、ネックストラップで吊り下げた携帯電話を胸のポケットに収納する場合においては、ポケットの中に宙吊り状態にしたい、ポケットの底に到達させて且つ倒れないように吊り状態にするなどの、好みの微妙な位置調節ができないものである。
｛４｝リールの回転をロック・ロック解除機構が複雑で部品点数が多く、コストが高くなる。
｛５｝携帯電話を細い紐からなるループ細紐に取り付けてぶら下げるために、付勢巻取り装置とは関係なく携帯電話がクルクルと回ってしまう。
（２）特許文献２の発明は次のような欠点を有するものであった。
｛１｝首掛けループを含めて全部を巻取る形態であるため、巻取り紐の長さが長くなり（量が多くなり）付勢巻取り装置（筐体）が大型になってしまう。
｛２｝「筐体の中央に設けられた、押すとロックが解除されて付勢巻取り状態となり離すとロックされてリールの回転が止められるようにしてなるロックボタン機構」との記載があるだけで、その具体的な構造は何ら記載されていないものであり、そのロック機構は単なる願望に過ぎないものである。
｛３｝携帯電話を細い紐からなるループ細紐に取り付けてぶら下げるために、付勢巻取り装置とは関係なく携帯電話がクルクルと回ってしまう。
（３）特許文献３の発明は次のような欠点を有するものであった。
｛１｝首掛けループを含めて全部を巻取る形態であるため、巻取り紐の長さが長くなり（量が多くなり）付勢巻取り装置（筐体）が大型になってしまう。
｛２｝親指と人差し指で筐体を摘んで、その後で人差し指でストッパー９をスライドさせてロック解除を行うものであるために、操作性が悪く煩わしい、親指と人差し指の抑え部位がずれた状態で抑え止めた状態を維持したまま、筐体を上下に移動させて巻取り紐の巻取りと引き出し操作を行うのでので摘み抑え感が悪い。
｛３｝ストッパー９に設けたボス９ａのリールと一体で回転する４箇所のいずれかの嵌合溝６ｂへの嵌合・非嵌合によりロック、ロック解除がなされるものであり、停止精度が悪く好みのところで自在にロックし止めることができない、停止箇所が限定されてしまう、微妙な止め位置の微調整ができない。
｛４｝操作レバー１３の倒し操作によるカム１４の回動により押圧部材１２を可動せて、該１２と固定部材１２でストラップ２を挟持ロックするものは、一方の手で筐体を持ち、操作レバー１３を他方の手で倒す、親指と人差し指で操作レバー１３を摘み起こさなければならず、両手操作によらなければならず、片方の手のみでは操作ができ難いものである。
特に止め位置の微妙な調節は両手で行わなければならないものであった。
（４）特許文献４の発明は次のような欠点を有するものであった。
｛１｝肩掛けベルトなどのベルト３（巻取り紐）を全部を巻取る形態であるため、巻取り紐の長さが長くなり（量が多くなり）付勢巻取り装置（筐体）が大型になってしまう。
｛２｝押しボタン５の４箇所の第２係合凹部５１と、ドラム２（リール）の４箇所の第１係合凸部２１の嵌合・非嵌合でロック・ロック解除がなされる仕組みであるので、停止精度が悪く好みのところで自在にロックし止めることができない、停止箇所が限定されてしまう、微妙な止め位置の微調整ができない。
｛３｝押しボタン５を回転しないようにすために、ドラム２の内側にケース１２から立ち下げた回転防止ガイド１８が必要であり、押し上げバネ６を入れる中空軸１５は太くなるものであるから、その分全体の幅が広くなり大型になってしまう。
さらに、回転防止ガイド１８分の前後空間を増やさなければならない、その分巻取バネ４を後方に位置させなければない、巻取バネ４の中空軸１５への固定は該１５にスリットを設けて巻取バネ４の内端を挿入して行うため、巻取バネ４が中空軸１５に内側に入るために上げ底形態となって中空軸１５の押し上げバネ６の収納長さが足りなくなり、押し上げバネ６の十分な伸縮を得るためには中空軸１５を長くしなくてはならない、ことにより前後厚さが分厚いものになる。
すなわち幅広で分厚い付勢巻取り装置になってしまうものである。
【０００５】
本発明は以上のような従来技術の欠点に鑑みてなされたものであって、
本発明の第１の目的は、片手のみのワン摘み操作による煩わしさのない軽快な上下移動止め操作および微妙な位置決め調節操作を可能とする付勢巻取り装置および付勢巻取り式ネックストラップ装置を提供することを目的としている。
本発明の第２の目的は、片手のみのワン摘み操作による煩わしさのない軽快な上下移動止め操作および微妙な位置決め調節操作を可能とするとともに、首に掛けるネックストラップ形態において、リールに巻取る巻取り紐の巻取り量を少なくできる付勢巻取り装置および付勢巻取り式ネックストラップ装置を提供することを目的としている。
【０００６】
本発明の前記ならびのそのほかの目的と新規な特徴は次の説明を添付図面と照らし合わせて読むと、より完全に明らかになるであろう。ただし、図面はもっぱら解説のためであって、本発明の技術的範囲を限定するものではない。
【課題を解決するための手段】
【０００７】
上記目的を達成するために本発明は次に述べるような構成となっている。
（請求項１記載の発明）
筐体、この筐体に設けられた発条、この発条により付勢巻取り回転する該筐体に内設されたリール（巻取りドラム）、このリールに巻取られた巻取り紐とからなる付勢巻取り装置本体と、前記筐体から引き出された前記巻取り紐を通する紐通し部を有し、前記紐通し部を通された前記巻取り紐を他の部位とで付勢挟持ロックするロック部を備えた摘み抑え込みロック解除部を前部ないし後部に設け、この摘み抑え込みロック解除部を常に押し付勢する付勢手段を設け、指で摘み前記摘み抑え込みロック解除部を押え移動させて前記ロック部による前記巻取り紐の付勢挟持ロックを解除し、指を離すと前記付勢手段により前記ロック部と前記紐通し部とによる前記巻取り紐の付勢挟持ロックが自動的に行われるロック体とで付勢巻取り装置を構成している。
（請求項２記載の発明）
請求項１記載の発明の構成において、付勢巻取り装置本体とロック体が直接的にあるいは他の部材や部位を介して一体化されてなる付勢巻取り装置を構成している。
（請求項３記載の発明）
筐体と、筐体に設けられた発条と、この発条により付勢巻取り回転する該筐体に内設されたリールと、このリールに巻取られた巻取り紐と、この巻取り紐を前記筐体外に引き出す引出し口と、この引出し口と前記リールの間に設けられた前記筐体と一体の摘み抑え込みロック解除部支持案内部と、この摘み抑え込みロック解除部支持案内部の前方ないし後方に開口された摘み抑え込みロック解除部突出口と、前記摘み抑え込みロック解除部支持案内部に可動するように収められその一部を前記摘み抑え込みロック解除部突出口から外に突出させてなる摘み抑え込みロック解除部と、前記摘み抑え込みロック解除部を外側に常に押し出し付勢する付勢手段と、前記摘み抑え込みロック解除部に設けられた、通された前記巻取り紐を前記引出し口などの前記筐体側ロック部位とで付勢挟持ロックするロック部と、からなり、親指と他の指で前記筐体と前記摘み抑え込みロック解除部を摘み該摘み抑え込みロック解除部を押込み移動させて前記巻取り紐の付勢挟持ロックを解除し、指を離すと前記付勢手段により前記ロック部と前記筐体側ロック部位とによる前記巻取り紐の付勢挟持ロックが自動的に行われるようにしてなる付勢巻取り装置を構成している。
（請求項４記載の発明）
筐体と、この筐体に設けられた発条と、この発条により付勢巻取り回転するリールと、このリールに巻取られた巻取り紐と、前記筐体の前部あるいは後部に指当て部位を位置させ、且つ、前記指当て部位から延長された形態で形成された抑え嘴部位を前記筐体の外側に位置させて、前記筐体から引き出された前記巻取り紐を前記筐体の外で前記抑え嘴部位で抑え挟持するクリップ形態の摘み抑え込みロック解除部とで付勢巻取り装置を構成している。
（請求項５記載の発明）
筐体と、この筐体に設けられた発条と、この発条により付勢巻取り回転するリールと、このリールに巻取られた巻取り紐と、前記筐体の前部にあけられた開口部と、この開口部に差し込まれて前記リールに当たり抑えて回転しないように付勢摩擦ブレーキ形態でロックするように機能する抑え嘴部位、前記抑え嘴部位を有してなる指当て部位、この指当て部位を前記筐体の前部あるいは後部に位置させてなるクリップ形態の摘み抑え込みロック解除部とで付勢巻取り装置を構成している。
（請求項６記載の発明）
筐体と、この筐体に設けられた発条と、この発条により付勢巻取り回転する前鍔および後鍔により形成された紐巻取り溝を有するリールと、このリールに巻取られた巻取り紐と、前記筐体の前部あるいは後部の前記リールから外れる部位に形成された摘み抑え込みロック解除部通し穴と、この摘み抑え込みロック解除部し通し穴に向かうように前記筐体の内側に固定された案内軸と、この案内軸に設けられた押し出し付勢手段と、前記案内軸に案内され移動可能に設けられた、その適宜な部位を前記リールの前記紐巻取り溝を形成する前記前鍔あるいは前記後ろ鍔に前記押し出し付勢手段の押し出し付勢力により当たって該リールを付勢摩擦ブレーキ形態でロックするリール当接ロック部を有する可動体と、この可動体に設けられた前記摘み抑え込みロック解除部通し穴から外側に突出された前記筐体ごと指で摘み持って押し込むことにより前記リールに当っている前記リール当接ロック部を該リールから離してロック解除状態とするための摘み抑え込みロック解除部とで付勢巻取り装置を構成している。
（請求項７記載の発明）
請求項１〜６いずれか記載の発明の構成において、第1の巻取り紐を巻取る第1のリール、第２の巻取り紐を巻取る第2のリールが設けられ、2つの摘み抑え込みロック解除部を連結して同時に動作させる、引き出された前記第1、第2の巻取り紐を外部に設けた二つの紐通し部と一つの摘み抑え込みロック解除部を有するロック体で同時にロック・ロック解除するようにするなどにより、ロックおよびロック解除が同時に行われるようにしてなる付勢巻取り装置を構成している。
（請求項８記載の発明）
請求項６記載の発明の構成において、筐体内に第1の巻取り紐を巻取る第1のリール、第２の巻取り紐を巻取る第2のリールを設け、摘み抑え込みロック解除部通し穴、案内軸、押し出し付勢手段、リール当接ロック部、可動体、摘み抑え込みロック解除部が前記第1のリールと前記第2のリールの間に設けられ、前記リール当接ロック部が前記第1のリールと前記第2のリールの前鍔あるいは後ろ鍔のいずれかに同時に当接して、ブレーキ形態でロックし同時に離れてロック解除するようにしてなる付勢巻取り装置を構成している。
（請求項９記載の発明）
請求項１〜８いずれか記載の発明の構成において、筐体の下部にプレートを形成し、前記プレートに面ファスナのフック側を形成し、前記筐体の一部ないし全部と前記プレートと、前記面ファスナのフック側とロック機構の一部を一体成形により1部品形態で形成してなる付勢巻取り装置を構成している。
（請求項１０記載の発明）
付勢巻取り装置が請求項１〜６いずれか記載の付勢巻取り装置であって、前記付勢巻取り装置から引き出された巻取り紐に略３５ｃｍ〜略６０ｃｍの長さの首掛け紐部材を設け、この首掛け紐部位の端方に着衣に係止するためのクリップや安全ピンなどの着衣係止手段を設け、前記リールに前記首掛け紐部材が巻取れないようにするために、前記首掛け紐部材を巻取れない太さとしたり、前記首掛け紐部材と前記巻取り紐とを繋ぐ連結具を巻き込まれない大きさのものとしたりしてなる付勢巻取り式ネックストラップ装置を構成している。
（請求項１１記載の発明）
付勢巻取り装置がリールを二つ設けてなるあるいは2本の巻取り紐が引き出せる形態の請求項１〜９いずれか記載の付勢巻取り装置であり、略２５ｃｍ〜略５０ｃｍの首掛け紐部材の一方の端を前記巻取り紐の一方と繋ぎ、前記首掛け紐部材の他方の端を前記巻取り紐の他方と繋ぎ、前記リールに前記首掛け紐部材が巻取れないようにするために、前記首掛け紐部材を巻取れない太さとしたり、前記首掛け紐部材と前記巻取り紐とを繋ぐ連結具を巻き込まれない大きさのものとしたりしてなる付勢巻取り式ネックストラップ装置を構成している。
（請求項１２記載の発明）
請求項１０、１１いずれか記載の発明の構成において、付勢巻取り装置の下方に携帯電話等の携帯品を取り付ける、前記携帯品が前記付勢巻取り装置と別体状態で回り裏返ないように、間隔をあけた2本の吊り紐や、プレートや、帯体、プレート型フック、連結部位付きプレート、連結部位付き針金体、面ファスナを設けたプレートなどの携帯品取付け部を設けてなる付勢巻取り式ネックストラップ装置を構成している。
（請求項１３記載の発明）
発条により巻取り付勢されたリール、このリールに付勢巻き取られる巻取り紐、この巻取り紐の引き出し引き込みをロックするロック部、指で摘み押し圧操作することにより前記ロック部のロック状態をロック解除状態とする摘み抑えロック解除部とを有する付勢巻取り装置と、
端方に前記巻き取り紐を取り付けてなる首に掛ける形態に形成され該形態が崩れないような部材によりなる首掛け部体と、とからなり、
前記ロック解除状態において前記摘み抑えロック解除部を抑える指を緩めると付勢力により前記ロック部が自動的にロック状態になる付勢巻取り式ネックストラップ装置を構成している。
（請求項１４記載の発明）
請求項１３記載の付勢巻取り式ネックストラップ装置の構成において、付勢巻取り装置が請求項１〜９いずれか記載の付勢巻取り装置である付勢巻取り式ネックストラップ装置を構成している。
【発明の効果】
【０００８】
以上の説明から明らかなように、本発明にあっては次に列挙する効果が得られる。
（請求項１記載の発明の効果）
筐体、この筐体に設けられた発条、この発条により付勢巻取り回転する該筐体に内設されたリール（巻取りドラム）、このリールに巻取られた巻取り紐とからなる付勢巻取り装置本体と、前記筐体から引き出された前記巻取り紐を通する紐通し部を有し、前記紐通し部を通された前記巻取り紐を他の部位とで付勢挟持ロックするロック部を備えた摘み抑え込みロック解除部を前部ないし後部に設け、この摘み抑え込みロック解除部を常に押し付勢する付勢手段を設け、指で摘み前記摘み抑え込みロック解除部を押え移動させて前記ロック部による前記巻取り紐の付勢挟持ロックを解除し、指を離すと前記付勢手段により前記ロック部と前記紐通し部とによる前記巻取り紐の付勢挟持ロックが自動的に行われるロック体とで付勢巻取り装置を構成しているので、
摘み抑え込みロック解除部の後部側に親指を添え前部側に
人差し指を添え摘み挟持して、摘み抑え込みロック解除部を押し込むとロック解除となって自在に巻取り紐の付勢巻取りと引き出しが自在行え、摘み抑え込みロック解除部を抑える指を緩めた位置で自動的にロック状態となるので、好みのどの部位でも巻取り紐の挟持ロックを行い、停止箇所の限定されない微妙な止め位置決めが簡単に行えるという効果を奏する。
これは例えば、フック面ファスナを設けた携帯品振れ止め具を着衣の好みの場所に取り付け、ループ面ファスナを設けた携帯電話を面ファスナ同士の係着機能により係止保持する場合に、ネックストラップで首から下げた該携帯電話の携帯品振れ止め具への係止位置が、好みの最適の吊り位置となるように微妙な位置調節を行うことができるものである。
また例えば、ネックストラップで吊り下げた携帯電話を胸のポケットに収納する場合においては、ポケットの中に宙吊り状態にしたい、ポケットの底に到達させて且つ倒れないように吊り状態にするなどの、好みの微妙な位置調節ができるものである。
（請求項２記載の発明の効果）
請求項１記載の発明の構成において、付勢巻取り装置本体とロック体が直接的にあるいは他の部材や部位を介して一体化されてなる付勢巻取り装置を構成しているので、
請求項１記載の発明の効果に加えて、付勢巻取り装置本体とロック体が常に同じ向きで常に真っ直ぐ状態にあるので、摘みロック解除を維持したままでの上下移動操作が違和感無く軽快に行えるという効果を奏する。
（請求項３記載の発明の効果）
筐体と、この筐体に設けられた発条と、この発条により付勢巻取り回転する該筐体に内設されたリールと、このリールに巻取られた巻取り紐と、この巻取り紐を前記筐体外に引き出す引出し口と、この引出し口と前記リールの間に設けられた前記筐体と一体の摘み抑え込みロック解除部支持案内部と、この摘み抑え込みロック解除部支持案内部の前方ないし後方に開口された摘み抑え込みロック解除部突出口と、前記摘み抑え込みロック解除部支持案内部に可動するように収められその一部を前記摘み抑え込みロック解除部突出口から外に突出させてなる摘み抑え込みロック解除部と、前記摘み抑え込みロック解除部を外側に常に押し出し付勢する付勢手段と、前記摘み抑え込みロック解除部に設けられた、通された前記巻取り紐を前記引出し口などの前記筐体側ロック部位とで付勢挟持ロックするロック部と、からなり、親指と他の指で前記筐体と前記摘み抑え込みロック解除部を摘み該摘み抑え込みロック解除部を押込み移動させて前記巻取り紐の付勢挟持ロックを解除し、指を離すと前記付勢手段により前記ロック部と前記筐体側ロック部位とによる前記巻取り紐の付勢挟持ロックが自動的に行われるようにしてなる付勢巻取り装置を構成しているので、
摘み抑え込みロック解除部を筐体ごと親指と人差し指で摘み、そのままの摘み位置で押し込み・緩め解放操作を行うことができ、自在に巻取り紐を好みの位置でロックすることができ、このような構成としても請求項１記載の発明と同様な効果を奏する。
（請求項４記載の発明の効果）
筐体と、この筐体に設けられた発条と、この発条により付勢巻取り回転するリールと、このリールに巻取られた巻取り紐と、前記筐体の前部あるいは後部に指当て部位を位置させ、且つ、前記指当て部位から延長された形態で形成された抑え嘴部位を前記筐体の外側に位置させて、前記筐体から引き出された前記巻取り紐を前記筐体の外で前記抑え嘴部位で抑え挟持するクリップ形態の摘み抑え込みロック解除部とで付勢巻取り装置を構成しているので、
摘み抑え込みロック解除部を筐体ごと親指と人差し指で摘み、そのままの摘み位置で押し込み・緩め解放操作を行うことができ、自在に巻取り紐を好みの位置でロックすることができ、このような構成としても請求項１記載の発明と同様な効果を奏する。
（請求項５記載の発明の効果）
筐体と、この筐体に設けられた発条と、この発条により付勢巻取り回転するリールと、このリールに巻取られた巻取り紐と、前記筐体の前部にあけられた開口部と、この開口部に差し込まれて前記リールに当たり抑えて回転しないように付勢摩擦ブレーキ形態でロックするように機能する抑え嘴部位、前記抑え嘴部位を有してなる指当て部位、この指当て部位を前記筐体の前部あるいは後部に位置させてなるクリップ形態の摘み抑え込みロック解除部とで付勢巻取り装置を構成しているので、
摘み抑え込みロック解除部を筐体ごと親指と人差し指で摘み、そのままの摘み位置で押し込み・緩め解放操作を行うことができ、リールを好みの位置で自在に止めることができ、このような構成としても前記請求項１記載の発明と同様な効果を奏する。
（請求項６記載の発明の効果）
筐体と、この筐体に設けられた発条と、この発条により付勢巻取り回転する前鍔および後鍔により形成された紐巻取り溝を有するリールと、このリールに巻取られた巻取り紐と、前記筐体の前部あるいは後部の前記リールから外れる部位に形成された摘み抑え込みロック解除部通し穴と、この摘み抑え込みロック解除部し通し穴に向かうように前記筐体の内側に固定された案内軸と、この案内軸に設けられた押し出し付勢手段と、前記案内軸に案内され移動可能に設けられた、その適宜な部位を前記リールの前記紐巻取り溝を形成する前記前鍔あるいは前記後ろ鍔に前記押し出し付勢手段の押し出し付勢力により当たって該リールを付勢摩擦ブレーキ形態でロックするリール当接ロック部を有する可動体と、この可動体に設けられた前記摘み抑え込みロック解除部通し穴から外側に突出された前記筐体ごと指で摘み持って押し込むことにより前記リールに当っている前記リール当接ロック部を該リールから離してロック解除状態とするための摘み抑え込みロック解除部とで付勢巻取り装置を構成しているので、
摘み抑え込みロック解除部を筐体ごと親指と人差し指で摘み、そのままの摘み位置で押し込み・緩め解放操作を行うことができ、リールを好みの位置で自在に止めることができ、このような構成としても前記請求項１記載の発明と同様な効果を奏する。
（請求項７記載の発明の効果）
請求項１〜６いずれか記載の発明の構成において、第1の巻取り紐を巻取る第1のリール、第２の巻取り紐を巻取る第2のリールが設けられ、2つの摘み抑え込みロック解除部を連結して同時に動作させる、引き出された前記第1、第2の巻取り紐を外部に設けた二つの紐通し部と一つの摘み抑え込みロック解除部を有するロック体で同時にロック・ロック解除するようにするなどにより、ロックおよびロック解除が同時に行われるようにしてなる付勢巻取り装置を構成しているので、
請求項１〜６いずれか記載の発明の効果に加えて、引き出された第１の巻取り紐と第１の巻取り紐を繋ぐ形態で首かけ帯紐を設ける、第１の巻取り紐と第２の巻取り紐を１本の紐体で構成することにより、首掛けループを形成して首に掛けて片手で自由自在に軽快に上下移動操作ができ、好みの位置に止め係留させることが素早く軽快に行え、微妙な位置調節が片手のみで簡単に行えるネックストラップを実現するという効果を奏する。
（請求項８記載の発明の効果）
請求項６記載の発明の構成において、筐体内に第1の巻取り紐を巻取る第1のリール、第２の巻取り紐を巻取る第2のリールを設け、摘み抑え込みロック解除部通し穴、案内軸、押し出し付勢手段、リール当接ロック部、可動体、摘み抑え込みロック解除部が前記第1のリールと前記第2のリールの間に設けられ、前記リール当接ロック部が前記第1のリールと前記第2のリールの前鍔あるいは後ろ鍔のいずれかに同時に当接して、ブレーキ形態でロックし同時に離れてロック解除するようにしてなる付勢巻取り装置を構成しているので、
このような構成としても前記請求項７記載の発明の効果と同様な効果を奏することができる。
（請求項９記載の発明の効果）
請求項１〜８いずれか記載の発明の構成において、筐体の下部にプレートを形成し、前記プレートに面ファスナのフック側を形成し、前記筐体の一部ないし全部と前記プレートと、前記面ファスナのフック側とロック機構の一部を一体成形により1部品形態で形成してなる付勢巻取り装置を構成しているので、
請求項１〜８いずれか記載の発明の効果と同様な効果を奏するとともに、構成部品の多くを一体成形により形成したので、大幅なコスト低減を図ることができるという効果を奏する。
（請求項１０記載の発明の効果）
付勢巻取り装置が請求項１〜６いずれか記載の付勢巻取り装置であって、前記付勢巻取り装置から引き出された巻と取り紐に略３５ｃｍ〜略６０ｃｍの長さの首掛け紐部材を設け、この首掛け紐部位の端方に着衣に係止するためのクリップや安全ピンなどの着衣係止手段を設け、前記リールに前記首掛け紐部材が巻取れないようにするために、前記首掛け紐部材を巻取れない太さとしたり、前記首掛け紐部材と前記巻取り紐とを繋ぐ連結具を巻き込まれない大きさのものとしたりしてなる付勢巻取り式ネックストラップ装置を構成しているので、
例えば、着衣係止手段を胸ポケットと反対側の前立て部位などに止め、首掛け紐部材を首の後ろ側を廻して胸ポケット側に垂らすことにより、携帯電話やＩＤカードケースなどの携帯品を胸ポケット側に吊垂らすことができ、且つ、その状態から片手で摘んで摘み抑え込みロック解除部を押し込んで携帯品を上下・前後に自在に移動させ、好みの位置で止め係留することが自在にでき、微妙な位置調節も簡単容易に行えるという効果を奏する。この状態では、１本紐によりポケット側によった携帯品の吊り下げが行われるので、胸ポケットに携帯品を略垂直な状態である携帯スタイルのよい状態で、その収納位置を好みの位置にして収納することができるという効果を奏する。当然、片手のみで腕を略延ばしきって翳す、腕を延ばしきった状態でロックして、携帯電話を手に持って撮影、ボタン操作などが行えるという効果を奏する。
（請求項１１記載の発明の効果）
付勢巻取り装置がリールを二つ設けてなるあるいは2本の巻取り紐が引き出せる形態の請求項１〜９いずれか記載の付勢巻取り装置であり、略２５ｃｍ〜略５０ｃｍの首掛け紐部材の一方の端を前記巻取り紐の一方と繋ぎ、前記首掛け紐部材の他方の端を前記巻取り紐の他方と繋ぎ、前記リールに前記首掛け紐部材が巻取れないようにするために、前記首掛け紐部材を巻取れない太さとしたり、前記首掛け紐部材と前記巻取り紐とを繋ぐ連結具を巻き込まれない大きさのものとしたりしてなる付勢巻取り式ネックストラップ装置を構成しているので、
前記請求項７記載の発明と同様な効果を奏する。
（請求項１２記載の発明の効果）
請求項１０、１１いずれか記載の発明の構成において、付勢巻取り装置の下方に携帯電話等の携帯品を取り付ける、前記携帯品が前記付勢巻取り装置と別体状態で回り裏返ないように、間隔をあけた2本の吊り紐や、プレートや、帯体、プレート型フック、連結部位付きプレート、連結部位付き針金体、面ファスナを設けたプレートなどの携帯品取付け部を設けてなる付勢巻取り式ネックストラップ装置を構成しているので、
請求項１０、１１いずれか記載の発明の構成に加えて、首から吊り下げた携帯電話機が回って裏返ったりすることが起こり難くできるという効果を奏する。
（請求項１３記載の発明の効果）
発条により巻取り付勢されたリール、このリールに付勢巻き取られる巻取り紐、この巻取り紐の引き出し引き込みをロックするロック部、指で摘み押し圧操作することにより前記ロック部のロック状態をロック解除状態とする摘み抑えロック解除部とを有する付勢巻取り装置と、
端方に前記巻き取り紐を取り付けてなる首に掛ける形態に形成され該形態が崩れないような部材によりなる首掛け部体と、とからなり、
前記ロック解除状態において前記摘み抑えロック解除部を抑える指を緩めると付勢力により前記ロック部が自動的にロック状態になる付勢巻取り式ネックストラップ装置を構成しているので、
着衣に係止することなく首に掛け使用するものであるので、着衣を選ばずに使用することができるという効果を奏する。
首の片側から携帯品を下げ操作することができ、とくに胸ポケットに携帯品を入れ保持する場合に、巻取り紐の下がりが一本であり且つ胸ポケット側に下げることができるので、下がり具合がポケット側となって見た目も操作性も良いという効果を奏する。
「指で摘み押し圧操作することにより前記ロック部のロック状態をロック解除状態とし、前記ロック解除状態において前記摘み抑えロック解除部を抑える指を緩めると付勢力により前記ロック部が自動的にロック状態する摘み抑えロック解除部」を設けているので、スムーズな移動および好みの位置での停止・係留が片手のみで軽快に行え、微妙な位置調節も容易に行えるという効果を奏する。
（請求項１４記載の発明の効果）
請求項１３記載の付勢巻取り式ネックストラップ装置の構成において、付勢巻取り装置が請求項１〜９いずれか記載の付勢巻取り装置である付勢巻取り式ネックストラップ装置を構成しているので、前記請求項１３記載の発明と同様な効果を奏することができる。
【発明を実施するための最良の形態】
【０００９】
以下、図面に示す発明を実施するための最良の形態により、本発明を詳細に説明する。但し、発明をそれらににみに限定するものではない。
【００１０】
＜第１の実施の形態＞
図１ないし図２に示す本発明を実施するための最良の第１の実施の形態において１は付勢巻取り式ネックストラップ装置であって、この付勢巻取り式ネックストラップ装置１は、プレート２の表面に該２と一体化された付勢巻取り装置３と、該３の下方ペースプレート２の表面に設けられたフック面ファスナ４（携帯品着脱保持手段）と付勢巻取り装置３から左右に引き出された巻取り紐１３、１４を連結するように設けられた、該１３、１４とともに首掛けループ１２を形成する首掛け帯紐６とからなっている。
巻取り紐１３、１４と首掛け帯紐６（平紐）は嵌合形態の着脱パーツ２２により連結され、略２ｋｇの引張り強さで分離する。着脱パーツ２２は繰り返し嵌合連結と分離が行える。
付勢巻取り装置３は、
横長の前プレート９、該９と同形状の後プレート１０とからなる筐体１１、前プレート９と後プレート１０の中央に固定された軸（図示せず）、この軸に内側端を固定された発条（図示せず）、この発条を内設するような形態で該発条の外端を固定してなる該発条で回転付勢されてなるリール（図示せず）、このリールに左側から巻き取られた巻取り紐１３、リールに右側から巻き取られた巻取り紐１４、筐体１１の左側に回転自在に設けられた巻取り紐１３を案内する案内コロ１５、筐体１１の右側に回転自在に設けられた巻取り紐１４を案内する案内コロ１６とからなる付勢巻取り装置本体１７と、
筐体１１の上方に設けられた、巻取り紐１３、１４を案内する案内コロ１８、１９からなる巻取り紐案内部２０と、
この巻取り紐案内部２０の上部に設けられた、巻取り紐１３、１４を通し且つその移動をロックしたりロック解除したりするロック体２１と、
とからなっている。
巻取り紐１３のリール（図示せず）にへの巻取りは巻取り紐１４とは逆巻きになっている。
ロック体２１は、
上部開口の円容器形態の外駒３５と、この外駒３５内に可動可能に設けられたヘッド３６、このヘッド３６の内側中央に可動方向に向いて設けられた付勢手段入り部３７を有する支柱３８、この支柱３８の後部に円盤形態で設けられた、通された巻取り紐１３、１４を挟持するための挟持板３９とからなる摘み抑え込みロック解除部４０と、付勢手段入り部３７に収納されて摘み抑え込みロック解除部４０を常に付勢状態とする圧縮コイルバネなどの押し出し付勢手段４１と、外駒３５を貫抜くように側壁に形成された巻取り紐１３、１４を通すための外駒紐通し孔４２、４２と、外駒紐通し孔４２、４２の間に形成された分離部４３、４３とからなり、外駒紐通し孔４２、４２に通された巻取り紐１３、１４が、摘み抑え込みロック解除部４０がフリーの状態では摘み抑え込みロック解除部４０が押し出し付勢手段４１により押されて巻取り紐１３、１４を外駒３５の外駒紐通し孔４２、４２と可動駒１１の挟持板３９とで挟持ロックしてロックして係留状態とし、摘み抑え込みロック解除部４０をロック体２１を摘んだ指で押し込むとロック状態が解除されて、自由自在に移動させることができ、指での押し込みを止めると好みの位置に止め係留させることができ、且つ、微妙な位置調節が簡単自在に行うことができる。
ロック体は一形態例であって、他に摘み抑え込みロック解除部が伏せ椀形態でそれに紐通し穴を設けてなる形態などがある、
４箇所の掛け穴５は、携帯電話Ｋに取り付けた開閉環８を有する細紐ループ取付け部材７の開閉環８を掛けて、ループ面ファスナ２３を裏面に設けた携帯電話Ｋの落下を防止するためのものである。
腕を素早く略延ばしきっての携帯電話の操作、付勢巻き戻し動作により素早く首に近い位置に上げ止めて振れの小さい携行を実現する。
また、どの位置においても吊紐の垂れ下がりの生じない携行を実現する。
携帯品着脱保持手段は、面ファスナだけにとどまらず、他に磁石、フックないしフック掛け、携帯品収納ケースなどがある。
【００１１】
（発明を実施するための異なる形態）
次に、本発明を実施するための異なる形態について説明する。なお、これら本発明を実施するための異なる形態の説明に当って、本発明を実施するための最良の第１の実施の形態と同一構成部分には同一符号を付して重複する説明を省略する。
【００１２】
＜第２の実施の形態＞
図３に示す本発明を実施するための最良の第２の実施の形態において前記第１の実施の形態と主に異なる点は、携帯品着脱保持手段を２箇所のフック５０、５１としてなる付勢巻取り式ネックストラップ装置５３を形成した点にある。
携帯電話Ｋにはフック５０、５１に掛ける細棒からなるフック掛け５４、５５を設けている。
【００１３】
＜第３の実施の形態＞
図４に示す本発明を実施するための最良の第３の実施の形態において前記第１の実施の形態と主に異なる点は、付勢巻取り装置を発条（図示せず）、この発条に付勢巻取り回転状態とされたリール（図示せず）、このリールに巻き取られる巻取り紐５８、これらを内設してなる筐体５７とからなる付勢巻取り装置本体５９、６０とし、付勢巻取り装置本体５９、６０から引き出された巻取り紐５８、５８を他のものを介さずロック体２１に通し、プレート２の下部にフック面ファスナ６１を有する吊バンド６２を設け、プレート２の背部面にフック面ファスナ６１を係着するループ面ファスナ６３を設けてなる付勢巻取り式ネックストラップ装６４を形成した点にある。
携帯電話Ｋには吊バンド６２を通すバン細棒部材からなるバンド通し掛り部６５が設けられている。
ロック体２１、巻取り紐案内部２０、付勢巻取り装置本体５９、６０とで付勢巻取り装置５６を形成している。
【００１４】
＜第４の実施の形態＞
図５に示す本発明を実施するための最良の第４の実施の形態において前記第１の実施の形態と主に異なる点は、付勢巻取り装置本体１７に変えて付勢巻取り装置本体５９、６０を設け、プレート２の付勢巻取り装置本体５９，６０の下方部位に立ち下げられた携帯品取付け部６８を設け、この携帯品取付け部６８の左右側部の上下に係止凹部６９、６９，６９，６９を設け、携帯品取付け部６８の裏面にフック面ファスナ４を設けてなる付勢巻取り式ネックストラップ装置７０を形成した点にある。
携帯電話Kの裏側には係止凹部６９、６９，６９，６９の下縁が填まる下か上に向かう填り溝を有する係止部７１，７１，７１，７１が最初から設けられていたり、後で粘着剤により接着したりして設けられている。
係止凹部６９、６９，６９，６９に携帯品側係止部７１，７１，７１，７１を入れプレート２を上方に移動ないし携帯電話Kを下方に移動させて携帯品側係止部７１，７１，７１，７１の填り溝に係止凹部６９、６９，６９，６９の下縁を填め込み、プレート２に携帯電話Kを装着する。
係止凹部６９、６９，６９，６９から携帯品側係止部７１，７１，７１，７１が携帯電話Kの上下振れ動作や、携帯電話Kを手に持っての操作動作などでは抜けないように、軽摩擦填り形態、一方の側の前部や背部や側部に微小凹部を設け、その凹みに填る微小凸部を設けるなどするのがよい。
【００１５】
＜第５の実施の形態＞
図６に示す本発明を実施するための最良の第５の実施の形態において前記第１の実施の形態と主に異なる点は、付勢巻取り装置本体１７に変えて二本の平紐からなる巻取り紐７３、７３を同一口から引き出してなる付勢巻取り装置本体７４を設け、プレート２の付勢巻取り装置本体７４の下方部位に立ち下げられた携帯品取付け部６８を設け、この携帯品取付け部６８の左右側部の上下に係止凹部６９、６９，６９，６９を設け、携帯品取付け部６８の裏面にフック面ファスナ４を設けてなるてなる付勢巻取り式ネックストラップ装置７５を形成した点にある。
巻取り紐７３、７３は重なってリールに付勢巻き取られている。
【００１６】
＜第６の実施の形態＞
図７に示す本発明を実施するための最良の第６の実施の形態において前記第１の実施の形態と主に異なる点は、付勢巻取り装置本体を付勢巻取り装置本体５９、６０とし、巻取り紐５８、５８をロックするロック体をロック体７７とした付勢巻取り式ネックストラップ装置７８を形成した点にある。
ロック体７７はプレート２に間隔をあけて立設された支柱７９ａ、７９ｂと、この支柱７９ａ、７９ｂに可動可能に孔を有する下部プレート８０を通してなる四角中空形態で上部プレート８１を指当て部位としてなる可動体８２と、支柱７９ａ、７９ｂの上部を渡らせるように固定され且つ可動体８２の内側に位置されるように設けられた挟持部８３と、支柱７９ａ、７９ｂにセットされ可動体８２とプレート２の間に位置されて可動体８２を押し付勢する圧縮コイルバネ８４ａ、８４ｂとからなっている。
巻取り紐５８、５８は、圧縮コイルバネ８４ａ、８４ｂの押し付勢力により挟持部８３と下部プレート８０で挟持ロック状態とされ、指で摘み可動体８２を押し移動（沈ませる）させると、挟持部８３から下部プレート８０が離れ移動してロック状態が解除され、指で抑えたまま携帯品Ｋの移動を自在に行うことができ、指を緩めたところで、ロック状態とされその位置に停止される。また、可動体８２を指で押したまま微妙な位置調節が容易に行える。
【００１７】
＜第７の実施の形態＞
図８、図９、図１０に示す本発明を実施するための最良の第７の実施の形態において（ａ）（ｂ）の８６は付勢巻取り式ネックストラップ装置であって、この付勢巻取り式ネックストラップ装置８６はベースプレート８７と、このベースプレート８７の最上部に設けられた一つ紐通し穴形態のロック体８８と、このロック体８８の下部でベースプレート８７に設けられた付勢巻取り装置本体５９と、ベースプレート８７の最下部に設けられた携帯品着脱保持部（面ファスナ、磁石、フック、ケースなど）であるカードケース８９と、ロック体８８から引き出された巻取り紐５８のと連結された首に掛ける帯紐からなる首掛け紐部９０と、この首掛け紐部９０の先端に設けられた着衣を係止するためのクリップ９１と、首掛け紐部９０と巻取り紐５８を着脱自在形態で連結してなる着脱パーツ２２とからなっている。
ベースプレート８７、ロック体８８、付勢巻取り装置本体５９で付勢巻取り装置９２を形成している。
ベースプレート８７、
図9に示すようにロック体８８は円形容器形態の紐通し穴９３を上下に貫通させてなる外駒９４と、この外駒９４に可動可能に一部を収納した紐通し穴９５を上下に貫通させてなる伏せ容器形態の内駒である摘み抑え込みロック解除部９６と、この摘み抑え込みロック解除部９６に収納された圧縮コイルバネ９７とからなっていて、紐通し穴９３と紐通し穴９５に通された巻取り紐５８を解放状態では紐通し穴９３と紐通し穴９５で挟持ロック（上図）し、摘み抑え込みロック解除部９６を指で摘み押し込むと挟持ロック解除（下図）となり、指を緩め・離すと圧縮コイルバネ９７の押し付勢力により自動的に摘み抑え込みロック解除部９６は押し出し動作となり、紐通し穴９３と紐通し穴９５で巻取り紐５８は付勢挟持ロック状態となる。
ベースプレート８７、付勢巻取り装置本体５９の筐体の一部、外駒９５・摘み抑え込みロック解除部９６のいずれか、カードケース８９の前面壁・背面壁のいずれかあるいは両方を一体成形により形成してなるものが、大幅なコスト低減をできるのでよい。
図１０に示すように、付勢巻取り式ネックストラップ装置８６は、首掛け紐部９０を首に掛け、クリップ９１で着衣の前立て部位などを係止し、首の片側にカードケース８９を吊り下げて携行する。
【００１８】
図９の（ｃ）は付勢巻取り式ネックストラップ装置８６の変形であって、付勢巻取り装置本体５９の半分ほどにカードケース８９の上部を固定し、巻取り紐５８にロック体８８が取り付けられてなる付勢巻取り式ネックストラップ装置９９を形成した点にある。
付勢巻取り装置本体５９とロック体８８で付勢巻取り装置１００を構成している。
【００１９】
＜第８の実施の形態＞
図１１に示す本発明を実施するための最良の第８の実施の形態において前記第１の実施の形態と主に異なる点は、着脱パーツ２２にカードケース８９を設けた付勢巻取り装置９２を吊り下げた点にある。
より具体的には、着脱パーツの雄パーツ１０３を首掛け帯紐６に取付け、雄パーツ１０３には帯紐を通す紐通し部１０４があり、この紐通し部１０４に付勢巻取り装置９２側のループ形態の細吊り紐１０６を通し掛けて該９２を吊り下げている。
付勢巻取り装置９２の巻き取り紐の先端には着脱パーツ１０７が取り付けられ、着脱パーツ１０７には細吊り紐１０６が設けれれている。紐通し部１０４に細吊り紐１０６を通し掛けるには、着脱パーツ１０７を切り離して行う。
【００２０】
＜第９の実施の形態＞
図１２に示す本発明を実施するための最良の第９の実施の形態において前記第７の実施の形態と主に異なる点は、付勢巻取り装置を下部面にフック面ファスナ４を設けたプレート２と、このプレート２の上部に設けた付勢巻取り装置本体５９と、この付勢巻取り装置本体５９の前部に設けたクリップ形態のロック体１０８と、このロック体１０８の摘み抑え込みロック解除部１０９と、この摘み抑え込みロック解除部１０９のロック嘴である付勢巻取り装置本体５９の外側上方で巻取り紐５８を挟持ロックする抑え嘴部位１１０と、プレート２に固定されて抑え嘴部位１１０を填め込む凹形態をし巻取り紐５８を通してなる受け挟持部１１１とからなる付勢巻取り装置１１２とした付勢巻取り式ネックストラップ装置１１３を形成した点にある。
摘み抑え込みロック解除部１０９を最大に抑え込んでも、抑え嘴部位１１０が受け挟持部１１１内にあって、巻取り紐５８が外れることがないようになっている。
ロック解除部１０９の指当て部１１４は指納まりが良いように縁凸形態となっている。
【００２１】
＜第１０の実施の形態＞
図１３に示す本発明を実施するための最良の第１０の実施の形態において前記第９の実施の形態と主に異なる点は、付勢巻取り装置１１２と同じ構造の付勢巻取り装置１１２ａ、付勢巻取り装置１１２ｂを横並びで設け、摘み抑え込みロック解除部１０９を連結部１１６で連結し、連結部１１６の中央に指当て部１１４を設けて、同時にロックとロック解除動作が行われるようにした付勢巻取り式ネックストラップ装置１１７を形成した点にある。
首掛け帯紐６は首掛けループ１２を形成する。
【００２２】
＜第１１の実施の形態＞
図１４に示す本発明を実施するための最良の第１１の実施の形態において前記第１の実施の形態と主に異なる点は、ロック体を第９の実施の形態のロック体１０８としてなる付勢巻取り式ネックストラップ装置１２０を形成した点にある。
ロック体１０８、付勢巻取り装置本体１７、巻取り紐案内部２０で付勢巻取り装置１２１を形成している。
ロック体１０８は巻取り紐案内部２０上に軸支されている。
【００２３】
＜第１２の実施の形態＞
図１５、図１６に示す本発明を実施するための最良の第１２の実施の形態において１２４は付勢巻取り式ネックストラップ装置であって、この付勢巻取り式ネックストラップ装置１２４は付勢巻取り装置１２５と、この付勢巻取り装置１２５の下方に立ち下げられたプレート２と、このプレート２の表面に設けられたフック面ファスナ４と、付勢巻取り装置１２５から引き出された巻取り紐５８に繋がれた首掛け紐部９０と、この首掛け紐９０の先端に取り付けられたクリップ９１（省略）とからなっている。
付勢巻取り装置１２５は、
筐体５７、この筐体５７内に固定軸１３２に内端を固定して設けられた発条１３４、この発条１３４により付勢巻取り回転するリール１２６と、このリール１２６に巻取られた巻取り紐５８、筐体５７の前部上方にあけられた開口部１２７とからなる付勢巻取り装置本体１２８と、
開口部１２７に付勢差し込まれてリール１２６に当たり抑えて回転しないように付勢摩擦ブレーキ形態で該１２６をロックする抑え嘴部位１１０を有し、指当て部位１１４を筐体５７上に位置させてなる摘み抑え込みロック解除部１０９を有してなるクリップ形態のロック体１２９と、とからなっている。
付勢巻取り装置１２５を指で摘み持って、摘み抑え込みロック解除部１０９を抑え込むと、抑え嘴部位１１０は当接しているリール１２６から離れて、リール１２６は回転自由の状態となって、巻取り紐５８を引き出したり付勢回転引き戻しを行うことが自在に行え、摘み抑え込みロック解除部１０９の指を離すと付勢手段１３０の閉め付勢力により抑え嘴部位１１０は自動的にリール１２６に付勢当接してブレーキを聞かせてリール１２６の回転をロックし、その位置に停止係留させる。
【００２４】
＜第１３の実施の形態＞
図１７に示す本発明を実施するための最良の第１３の実施の形態において前記第１２の実施の形態と主に異なる点は、付勢巻取り装置１２５と同じ構造の付勢巻取り装置１２５ａ、付勢巻取り装置１２５ｂを横並びで設け、摘み抑え込みロック解除部１０９を連結部１１６で連結し、連結部１１６の中央に指当て部１１４を設けて、同時にロックとロック解除動作が行われるようにした付勢巻取り式ネックストラップ装置１３６を形成した点にある。
首掛け帯紐６は首掛けループ１２を形成する。
【００２５】
＜第１４の実施の形態＞
図１８、図１９に示す本発明を実施するための最良の第１４の実施の形態において１３９は付勢巻取り式ネックストラップ装置であって、この付勢巻取り式ネックストラップ装置１３９は付勢巻取り装置１４０と、この付勢巻取り装置１４０の下方に立ち下げられたプレート２と、このプレート２の表面に設けられたフック面ファスナ４と、付勢巻取り装置１４０から引き出された巻取り紐５８に繋がれた首掛け紐部９０と、この首掛け紐９０の先端に取り付けられたクリップ９１（省略）とからなっている。
付勢巻取り装置１４０は、
筐体５７、この筐体５７に設けられた発条１３４、この発条１３４により付勢巻取り回転する前鍔１４１および後鍔１４２により形成された紐巻取り溝１４３を有するリール１４４とからなる付勢巻取り装置本体１５１と、
このリール１４４に巻取られた巻取り紐５８と、
筐体５７の前部のリール１４３から外れる下部位に形成された摘み抑え込みロック解除部通し穴１４５と、
この摘み抑え込みロック解除部し通し穴１４５に向かうように筐体５７の内側に固定された案内軸１４６と、
この案内軸１４６に設けられた押し出し付勢手段である圧縮コイルバネ１４７と、
案内軸１４６に案内され移動可能に設けられた、その適宜な部位をリール１４３の前鍔１４１に圧縮コイルバネ１４７の押し出し付勢力により当り抑えてリール１４３を付勢摩擦ブレーキ形態でロックするリール当接ロック部１４８を有する可動体１４９と、
この可動体１４９に設けられた摘み抑え込みロック解除部通し穴１４５から外側に突出された筐体５７ごと指で摘み持って押し込むことにより前記リール１４４（前鍔１４１）に当っているリール当接ロック部１４８をリール１４４（前鍔１４１）から離してロック解除状態とするための摘み抑え込みロック解除部１５０と、とからなっている。
【００２６】
＜第１５の実施の形態＞
図２０に示す本発明を実施するための最良の第１５の実施の形態において前記第１４の実施の形態と主に異なる点は、付勢巻取り装置１４０と同じ構造の付勢巻取り装置１４０ａ、付勢巻取り装置１４０ｂを横並びで設け、摘み抑え込みロック解除部１５０を連結部１１６で連結し、連結部１１６の中央に指当て部１１４を設けて、同時にロックとロック解除動作が行われるようにした付勢巻取り式ネックストラップ装置１５３を形成した点にある。
首掛け帯紐６は首掛けループ１２を形成する。
【００２７】
＜第１６の実施の形態＞
図２１図２２に示す本発明を実施するための最良の第１６の実施の形態において１５５は付勢巻取り式ネックストラップ装置であって、この付勢巻取り式ネックストラップ装置１５５は付勢巻取り装置１５６と、この付勢巻取り装置１５６の下方に立ち下げられたプレート２と、このプレート２の表面に設けられたフック面ファスナ４と、付勢巻取り装置１５６から引き出された巻取り紐５８、５８に繋がれた首掛けループ１２を形成する首掛け紐部９０（省略）とからなっている。
付勢巻取り装置１５６は、
筐体１５７と、
この筐体１５７内に設けられた第１の固定支柱１５８、該１５８に間隔をあけて横側に設けられた第２の固定支柱１５９と、
第１の固定支柱１５８の後部に内側端を固定して設けられた第１の発条１６０、第２の固定支柱１５９の後部に内側端を固定して設けられた第２の発条１６１と、
第１の固定支柱１５８に回転自在に軸支され、後部に第１の発条１６０を囲い且つ該１６０の外端を固定してなる発条囲い部１６２を設け、前部に鍔部１６３を設け、発条囲い部１６２と鍔部１６３の間に紐巻取り溝１６４を形成してなる巻取り紐５８を巻き取る第１のリール１６５、第２の固定支柱１５９に回転自在に軸支され、後部に第２の発条１６１を囲い且つ該１６１の外端を固定してなる発条囲い部１６２を設け、前部に鍔部１６３を設け、発条囲い部１６２と鍔部１６３の間に紐巻取り溝１６４を形成してなる巻取り紐５８を巻き取る第２のリール１６６と、
筐体５７の前部の第１のリール１６５と第２のリール１６６の間に設けられた摘み抑え込みロック解除部通し穴１６７と、
この摘み抑え込みロック解除部し通し穴１６７に向かうように筐体５７の後部壁内側に固定された案内軸１６８と、
この案内軸１６８に設けられた押し出し付勢手段である圧縮コイルバネ１６９と、
案内軸１６８に案内され移動可能に設けられた、その適宜な部位をリールの鍔部１６３、１６３に圧縮コイルバネ１６９の押し出し付勢力により当り抑えて第１のリール１６５、第２のリール１６６を付勢摩擦ブレーキ形態でロックするリール当接ロック部１７０を有する可動体１７１と、
この可動体１７１に設けられた摘み抑え込みロック解除部通し穴１６７から外側に突出された筐体１５７ごと指で摘み持って押し込むことにより第１のリール１６５、第２のリール１６６（鍔部１６３、１６３）に当っているリール当接ロック部１７０を鍔部１６３、１６３から離してロック解除状態とするための摘み抑え込みロック解除部１７２と、とからなっている。
リール当接ロック部１７０および鍔部１６３、１６３の両方あるいはいずれか一方にゴム製部材などの摩擦部材を設けるのもよい。また両方に摩擦ブレーキと殆ど変わらない作用となる微細凸凹を設けるのもよい。
【００２８】
＜第１７の実施の形態＞
図２３に示す本発明を実施するための最良の第１７の実施の形態において前記第１７の実施の形態と主に異なる点は、第１のリール１６５と第２のリール１６６の並べ方を縦並びとした付勢巻取り式ネックストラップ装置１７５を形成した点にある。
【００２９】
＜第１８の実施の形態＞
図２４に示す本発明を実施するための最良の第１８の実施の形態において１７８は付勢巻取り式ネックストラップ装置であって、この付勢巻取り式ネックストラップ装置１７８は付勢巻取り装置１７９と、この付勢巻取り装置１７９の下方に立ち下げられたプレート２と、このプレート２の表面に設けられたフック面ファスナ４と、付勢巻取り装置１７９から引き出された巻取り紐５８に繋がれた首掛け紐部９０と、この首掛け紐９０の先端に取り付けられたクリップ９１（省略）とからなっている。
付勢巻取り装置１７９は、
筐体１５７と、
この筐体１５７に設けられた発条１３４（図示せず）と、
この発条１３４により付勢巻取り回転する筐体５７に内設されたリール１２６と、
このリール１２６に巻取られた巻取り紐５８と、
この巻取り紐５８を筐体５７外に引き出す引出し口１３１と、
この引出し口１３１とリール１２６の間に設けられた筐体１５７と一体（別部材により形成され接着などにより一体化）の摘み抑え込みロック解除部支持案内部１８０と、
この摘み抑え込みロック解除部支持案内部１８０の前部に開口された摘み抑え込みロック解除部突出口１８１と、
摘み抑え込みロック解除部支持案内部１８０に可動するように収められその一部を摘み抑え込みロック解除部突出口１８１から外に突出させてなる摘み抑え込みロック解除部１８２と、
摘み抑え込みロック解除部１８２を外側に常に押し出し付勢する付勢手段である圧縮コイルバネ１８３、１８４と、
摘み抑え込みロック解除部１８２に設けられた、通された巻取り紐５８を引出し口１３１などの筐体１５７側ロック部位とで付勢挟持ロックするロック部である紐通し穴１８５とからなり、
親指と他の指で筐体１５７と摘み抑え込みロック解除部１８２を摘み該１８２を押込み移動させて巻取り紐５８の付勢挟持ロックを解除し、指を離すと圧縮コイルバネ１８３、１８４により紐通し穴１８５と引出し口１３１とによる巻取り紐５８の付勢挟持ロックが自動的に行われる。
【００３０】
＜第１９の実施の形態＞
図２５に示す本発明を実施するための最良の第１９の実施の形態において前記第１８の実施の形態と主に異なる点は、摘み抑え込みロック解除部支持案内部１８０、筐体１５７、プレート２、フック面ファスナ４を一体成形ににより一体的に形成してなる付勢巻取り式ネックストラップ装置１８８を形成した点にある。
１８９は筐体１５７の天板。
【００３１】
＜第２０の実施の形態＞
図２６に示す本発明を実施するための最良の第２０の実施の形態において前記第１９の実施の形態と主に異なる点は、筐体１９２内に横並びにリール１２６と同構成のリール１２６ａ、１２６ｂを横並びで設け、摘み抑え込みロック解除部１８２をリール１２６ａ、１２６ｂから引き出される巻取り紐５８、５８を同時にロック、ロック解除を行う横長の形態とした付勢巻取り式ネックストラップ装置１９３を形成した点にある。
巻取り紐５８、５８には首掛け帯紐６が繋がれ首掛けループ１２を形成する。
筐体１９２、リール１２６ａ、１２６ｂ、摘み抑え込みロック解除部１８２とで付勢巻取り装置１９４を形成する。
【００３２】
＜第２１の実施の形態＞
図２７に示す本発明を実施するための最良の第２１の実施の形態において前記第１４の実施の形態と主に異なる点は、摘み抑え込みロック解除部の構造を巻取り紐引出し口１３１から外に片唇形態で突き出したロック片２００を設け、筐体５７に移動可能に被さり形態で設けられた内設された付勢手段２０１により押し出し付勢されてなる摘み抑え込みロック解除部２０２を設け、この摘み抑え込みロック解除部２０２の側部にロック片２００と巻取り紐５８が通される穴形態ないし溝形態のロック部２０３を設けてなる付勢巻取り装置２０４を形成した点にある。
摘み抑え込みロック解除部２０２の解放状態では、付勢手段２０１の付勢力より巻取り紐５８はロック片２００とロック部２０３の内壁に付勢挟持状態のロック状態となっていて、付勢巻取り装置２０４を指で摘み摘み抑え込みロック解除部２０２を押え込むと、該２０２は内側に移動しロック片２００とロック部２０３の内壁は離れて巻取り紐５８が移動自由のロック解除状態となる。
【００３３】
＜第２２の実施の形態＞
図２８に示す本発明を実施するための最良の第２２の実施の形態において前記第７の実施の形態と主に異なる点は、首掛け紐部９０にかえて、端方に巻き取り紐５８を取り付けてなる首に掛ける形態に形成され該形態が崩れないような部材によりなる首掛け部体２０７を設けてなる付勢巻取り式ネックストラップ装置２０８を形成した点にある。
首掛け部体２０７は局部局部や全体に滑り止め部材による滑り止めがなされているのがよい。滑り止めはソフトな部材がよい。
「首に掛ける形態に形成され該形態が崩れないような部材」とは、針金状部材に滑り止め部材を被せたもの、射出成形等で成形されたものなどがある。
首掛け部体２０７の両端に付勢巻取り装置９２などの付勢巻取り装置を設け、一方に携帯電話を取り付け、他方にICカードやネームカードを取り付けるのもよい。
首掛け部体は携帯品の引き下ろし操作などの操作では変形することがない形態維持強度を有するとともに、手で曲げて好みの形態に変形させることができるものもよい。
【産業上の利用可能性】
【００３４】
本発明は携帯電話などの携帯補助具を製造する産業で利用される。
【図面の簡単な説明】
【００３５】
【図１】本発明を実施するための最良の第１の実施の形態の正面図、携帯電話を保持した側面図および携帯電話を保持し細紐ループ取付け部材を取付けた縮小正面図。
【図２】本発明を実施するための最良の第１の実施の形態の巻取り紐を通した状態のロック体の正面図、底面図、正面図中央横断面図および正面図中央縦断面図。
【図３】本発明を実施するための最良の第２の実施の形態の正面図、側面図、携帯電話を保持し側面図および携帯電話の平面図。
【図４】本発明を実施するための最良の第３の実施の形態の正面図、携帯電話を保持した背面図、携帯電話を保持した側面図および携帯電話の平面図。
【図５】本発明を実施するための最良の第４の実施の形態の正面図、携帯電話の背面図、携帯電話に装着した状態の背面図および携帯電話に装着した状態の側面図。
【図６】本発明を実施するための最良の第５の実施の形態の正面図、携帯電話の背面図、携帯電話を装着した状態の背面図および携帯電話に装着した状態の側面図。
【図７】本発明を実施するための最良の第６の実施の形態の正面図、ロック体のロック状態の平面図およびロック体のロック解除状態の平面図。
【図８】本発明を実施するための最良の第７の実施の形態の正面図（ａ）、下降移動させた状態の正面図（ｂ）および他の変形形態の正面図（ｃ）。
【図９】本発明を実施するための最良の第７の実施の形態のロック体のロック状態の正面図およびロック解除状態の正面図。
【図１０】本発明を実施するための最良の第７の実施の形態の使用状態図。
【図１１】本発明を実施するための最良の第８の実施の形態の正面図および部分拡大組立分解図。
【図１２】本発明を実施するための最良の第９の実施の形態のロック状態の正面図、ロック状態の側面図および巻き取り紐を引き出し延ばしたロック解除状態の側面図
【図１３】本発明を実施するための最良の第１０の実施の形態の正面図。
【図１４】本発明を実施するための最良の第１１の実施の形態の正面図、携帯電話を保持した状態の側面図および巻き取り紐を引き出し延ばし携帯電話を保持した状態の側面図。
【図１５】本発明を実施するための最良の第１２の実施の形態の付勢巻取り装置の断面図。
【図１６】本発明を実施するための最良の第１２の実施の形態の正面図。
【図１７】本発明を実施するための最良の第１３の実施の形態の正面図。
【図１８】本発明を実施するための最良の第１４の実施の形態の付勢巻取り装置のロック状態の断面図および付勢巻取り装置のロック解除状態の断面図。
【図１９】本発明を実施するための最良の第１４の実施の形態の正面図。
【図２０】本発明を実施するための最良の第１５の実施の形態の正面図。
【図２１】本発明を実施するための最良の第１６の実施の形態の正面図。
【図２２】本発明を実施するための最良の第１６の実施の形態の付勢巻取り装置のＡ−Ａ線切断断面図。
【図２３】本発明を実施するための最良の第１７の実施の形態の正面図。
【図２４】本発明を実施するための最良の第１８の実施の形態の正面図、側面図、A−A線切断拡大断面図。
【図２５】本発明を実施するための最良の第１９の実施の形態の正面図、側面図、A−A線切断拡大断面図。
【図２６】本発明を実施するための最良の第２０の実施の形態の正面図。
【図２７】本発明を実施するための最良の第２１の実施の形態のロック状態の断面図、ロック解除状態の断面図および平面図。
【図２８】本発明を実施するための最良の第２２の実施の形態の正面図および使用状態図。
【符号の説明】
【００３６】
Ｋ：携帯電話、
１：付勢巻取り式ネックストラップ装置、
２：プレート、
３：付勢巻取り装置、
４：フック面ファスナ、
５、５、５、５：掛け穴、
６：首掛け帯紐、
７：細紐ループ取付け部材、
８：開閉環、
９：前プレート、
１０：後プレート、
１１：筐体、
１２：首掛けループ、
１３：巻取り紐、
１４：巻取り紐、
１５：案内コロ、
１６：案内コロ、
１７：付勢巻取り装置本体、
１８：案内コロ、
１９：案内コロ、
２０：巻取り紐案内部、
２１：ロック体、
２２、２２：着脱パーツ、
２３：ループ面ファスナ、
３５：外駒、
３６：ヘッド、
３７：付勢手段入り部、
３８：支柱、
３９：挟持板、
４０：摘み抑え込みロック解除部（内駒）、
４１：押し出し付勢手段、
４２、４２：外駒紐通し孔、
４３、４３：分離部、
５０：フック、
５１：フック、
５３：付勢巻取り式ネックストラップ装置、
５４：フック掛、
５５：フック掛、
５６：付勢巻取り装置、
５７：筐体、
５８、５８：巻取り紐、
５９：付勢巻取り装置本体、
６０：付勢巻取り装置本体、
６１：フック面ファスナ、
６２：吊バンド、
６３：ループ面ファスナ、
６４：付勢巻取り式ネックストラップ装置、
６５：バンド通し掛り部、
６８：携帯品取付け部、
６９、６９、６９、６９：係止凹部、
７０：付勢巻取り式ネックストラップ装置、
７１，７１，７１，７１：携帯品側係止部、
７３、７３：巻取り紐、
７４：付勢巻取り装置本体、
７５：付勢巻取り式ネックストラップ装置、
７７：ロック体、
７８：付勢巻取り式ネックストラップ装置、
７９ａ、７９ｂ：支柱、
８０：下部プレート、
８１：上部プレート、
８２：可動体、
８３：挟持部、
８４ａ、８４ｂ：圧縮コイルバネ、
８６：付勢巻取り式ネックストラップ装置、
８７：ベースプレート、
８８：ロック体、
８９：カードケース、
９０：首掛け紐部、
９１：クリップ、
９２：付勢巻取り装置、
９３：紐通し穴、
９４：外駒、
９５：紐通し穴、
９６：摘み抑え込みロック解除部、
９７：圧縮コイルバネ、
９８：付勢巻取り装置、
９９：付勢巻取り式ネックストラップ装置、
１００：付勢巻取り装置、
１０３：雄パーツ、
１０４：紐通し部、
１０５：雌パーツ、
１０６：細吊り紐、
１０７：着脱パーツ、
１０８：ロック体、
１０９：摘み抑え込みロック解除部、
１１０：抑え嘴部位、
１１１：受け挟持部、
１１２、１１２ａ、１１２ｂ：付勢巻取り装置、
１１３：付勢巻取り式ネックストラップ装置、
１１４：指当て部、
１１６：連結部、
１１７：付勢巻取り式ネックストラップ装置、
１２０：付勢巻取り式ネックストラップ装置、
１２１：付勢巻取り装置、
１２４：付勢巻取り式ネックストラップ装置、
１２５、１２５ａ、１２５ｂ：付勢巻取り装置、
１２６、１２６ａ、１２６ｂ：リール、
１２７：開口部、
１２８：付勢巻取り装置本体、
１２９：ロック体、
１３０：付勢手段、
１３１：巻取り紐引出し口、
１３２：固定軸、
１３３：軸支部、
１３４：発条、
１３６：付勢巻取り式ネックストラップ装置、
１３９：付勢巻取り式ネックストラップ装置、
１４０、１４０ａ、１４０ｂ：付勢巻取り装置、
１４１：前鍔、
１４２：後鍔、
１４３：紐巻取り溝、
１４４：リール、
１４５：摘み抑え込みロック解除部通し穴、
１４６：案内軸、
１４７：圧縮コイルバネ、
１４８：リール当接ロック部、
１４９：可動体、
１５０：摘み抑え込みロック解除部、
１５１：付勢巻取り装置本体、
１５３：付勢巻取り式ネックストラップ装置、
１５５：付勢巻取り式ネックストラップ装置、
１５６：付勢巻取り装置、
１５７：筐体、
１５８：第１の固定支柱、
１５９：第２の固定支柱、
１６０：第１の発条、
１６１：第２の発条、
１６２：発条囲い部、
１６３：鍔部、
１６４：紐巻取り溝、
１６５：第１のリール、
１６６：第２のリール、
１６７：摘み抑え込みロック解除部し通し穴、
１６８：案内軸、
１６９：圧縮コイルバネ、
１７０：リール当接ロック部、
１７１：可動体、
１７２：摘み抑え込みロック解除部、
１７５：付勢巻取り式ネックストラップ装置、
１７８：付勢巻取り式ネックストラップ装置、
１７９：付勢巻取り装置、
１８０：摘み抑え込みロック解除部支持案内部、
１８１：摘み抑え込みロック解除部突出口、
１８２：摘み抑え込みロック解除部、
１８３：圧縮コイルバネ、
１８４：圧縮コイルバネ、
１８５：紐通し穴、
１８８：付勢巻取り式ネックストラップ装置、
１８９：天板、
１９０：巻取り紐案内コロ、
１９２：筐体、
１９３：付勢巻取り式ネックストラップ装置、
１９４：付勢巻取り装置
２００：ロック片、
２０１：付勢手段、
２０２：摘み抑え込みロック解除部、
２０３：ロック部、
２０４：付勢巻取り装置、
２０７：首掛け部体、
２０８：付勢巻取り式ネックストラップ装置。
【図２８】
2008043719.tif 000003
【図１】
2008043719.tif 000004
【図２】
2008043719.tif 000005
【図３】
2008043719.tif 000006
【図４】
2008043719.tif 000007
【図５】
2008043719.tif 000008
【図６】
2008043719.tif 000009
【図７】
2008043719.tif 000010
【図８】
2008043719.tif 000011
【図９】
2008043719.tif 000012
【図１０】
2008043719.tif 000013
【図１１】
2008043719.tif 000014
【図１２】
2008043719.tif 000015
【図１３】
2008043719.tif 000016
【図１４】
2008043719.tif 000017
【図１５】
2008043719.tif 000018
【図１６】
2008043719.tif 000019
【図１７】
2008043719.tif 000020
【図１８】
2008043719.tif 000021
【図１９】
2008043719.tif 000022
【図２０】
2008043719.tif 000023
【図２１】
2008043719.tif 000024
【図２２】
2008043719.tif 000025
【図２３】
2008043719.tif 000026
【図２４】
2008043719.tif 000027
【図２５】
2008043719.tif 000028
【図２６】
2008043719.tif 000029
【図２７】
2008043719.tif 000030
【手続補正書】
【提出日】平成19年12月25日(2007.12.25)
【手続補正１】
【補正対象書類名】特許請求の範囲
【補正対象項目名】全文
【補正方法】変更
【補正の内容】
【特許請求の範囲】
【請求項１】
筐体、この筐体に設けられた発条、この発条により付勢巻取り回転する該筐体に内設されたリール、このリールに巻取られた巻取り紐とからなる付勢巻取り装置本体と、
前記筐体から引き出された前記巻取り紐を通す紐通し部を有し、前記紐通し部を通された前記巻取り紐を他の部位とで付勢挟持ロックするロック部を備えた摘み抑え込みロック解除部を前部ないし後部に設け、この摘み抑え込みロック解除部を常に押し付勢する付勢手段を設け、指で摘み前記摘み抑え込みロック解除部を押え移動させて前記ロック部による前記巻取り紐の付勢挟持ロックを解除し、指を離すと前記付勢手段により前記ロック部と前記紐通し部とによる前記巻取り紐の付勢挟持ロックが自動的に行われる、前記摘み押さえ込みロック解除部および前記付勢手段を収納する外駒とからなるロック体と、
カードケースと、
前記付勢巻き取り装置、前記ロック体および前記カードケースを一体的に固定連結してなるベースプレートとからなるとともに、該付勢巻取り手段の前記筐体の一部、該ロック体の摘み押さえ込みロック解除部あるいは外駒および該カードケースの全部あるいは一部が該ベースプレートと一体成型により形成されてなることを特徴とする付勢巻取り装置。
【手続補正２】
【補正対象書類名】明細書
【補正対象項目名】全文
【補正方法】変更
【補正の内容】
【発明の詳細な説明】
【技術分野】
【０００１】
本発明は、携帯電話やＩＤカードなどを首から吊るし携行する付勢巻取り装置に関する。
【背景技術】
【０００２】
従来の付勢巻取り装置を有するネックストラップ装置には以下に述べるものがある。
（１）  特許文献１に、筐体（ケース）と、この筐体に固定され内側に突出した固定軸と、この固定軸に内端を固定してなる発条と、この発条の外端を固定してその戻り付勢力により付勢巻取り回転するリールと、このリールに一方の端を固定して該リールに巻取られる細帯状の首に掛けるストラップを形成する巻取り紐と、この巻取り紐を外に引き出す筐体の引き出し口と、この引出し口の対向する側に設けられた首掛けループを形成するように巻取り紐の他の端を固定してなる巻取り紐固定部と、リールの外周部に設けられた４つの突起と、リールの上方に設けられたリールの外周の突起に当たってリールの付勢戻り回転を止める、スプリングにより付勢され且つ上方に可動可能に設けられた可動フックと、この可動フックを上方に移動して当たっている突起から離れさせるための筐体の外側に突出するように設けられたロック解除部（リリースボタン）と、筐体の部から下げられたループ細紐からなる携帯電話などを吊り下げるためのループ細紐（松葉）と、とからなる発明が開示されている。
（２）  特許文献２に、筐体と、この筐体に固定され内側に突出した固定軸と、この固定軸に内端を固定してなる発条と、この発条の外端を固定してその戻り付勢力により付勢巻取り回転するリール（巻取りドラム）と、このリールに両端を固定して２重巻き形態で該リールに巻取られる細帯状や丸紐状の首掛けループを形成してなる巻取り紐（帯紐）と、筐体の中央に設けられた、押すとロックが解除されて付勢巻取り状態となり離すとロックされてリールの回転が止められるようにしてなるロックボタン機構と、された筐体の部から下げられたループ細紐からなる携帯電話などを吊り下げるためのループ細紐（松葉）と、とからなる発明が開示されている。
（３）  特許文献３に次の２つの発明が開示されている。
｛１｝図８〜図１１には、発条により巻取り付勢状態とされた2つのリール（巻取りドラム）をロック・ロック解除するための機構として、指で抑えスライドさせるロック方向にバネ１０で常に押されているストッパー９が設けられ、このストッパー９の内側にはボス９ａ（突起）が設けられ、リール側にはボス９ａが嵌る嵌合溝６ｂが設けられ、通常はバネ１０で付勢押されてボス９ａが嵌合溝６ｂに嵌ってリールはロックされていて、ストッパー９に指を当てスライドさせるとボス９ａが嵌合溝６ｂ（４箇所）から外れてリールのロック状態は解除され、ストラップ（巻取り紐）の巻取りと引出しは自在に行える発明が開示されている。
｛２｝図１２には、カム１４（回動軸）を有する回動可能とされた操作レバー１３と、この操作レバー１３の倒しによりカム１４に押されて可動する押圧部材１２と、筐体などの一部からなる固定部材１１とからなり、押圧部材１２と固定部材１１の間に通したストラップ２（巻取り紐）を操作レバー１３の倒し操作によるカム１４の回動により押圧部材１２を可動せて、該１２と固定部材１２でストラップ２を挟持ロックする発明が開示されている。
（４）  特許文献４に、ケース１１・１２の中の中空軸１５にドラム２（リール）が回転可能に軸支されており、そのドラム２の外周には、そのベルト３（巻取り紐）が外部から引き出し可能に巻回され、ドラム２の内部には、そのベルト３の巻取バネ４を偏位して内装し、ドラム２の内周壁には第１係合凸部２１を４箇所突出形成する一方、第２係合凹部５１を４箇所周設する押しボタン５を、押し上げバネ６内設した中空軸１５に該６により弾圧的に軸支させ、その状態で第１係合凸部２１に押しボタン５の第２係合凹部５１が係合しており、押しボタン５を押し上げバネ６の弾圧に抗して押し下げることにより、押しボタン５の第２係合凹部５１と前記ドラムの第１係合凸部２１の係合が解除されロック解除状態となる発明が開示されている。
【０００３】
【特許文献１】特開２０００−７８０４８号公報（図８〜図１１）
【特許文献２】実用新案登録第３０７０７８９号公報
【特許文献３】特開平９−２９９１２８号公報
【特許文献４】特開２００２−１６５６２７号公報
【非特許文献１】特になし
【発明の開示】
【発明が解決しようとする課題】
【０００４】
（１）特許文献１の発明は次のような欠点を有するものであった。
｛１｝首掛けループを含めて全部を巻取る形態であるため、巻取り紐の長さが長くなり（量が多くなり）付勢巻取り装置（筐体）が大型になってしまう。
｛２｝巻取り紐の他の端を固定した形態であるため、付勢巻取り装置の上下移動の度に首に掛っている部位が移動して、首の後ろで擦れてしまい、大変使用感が悪い。
｛３｝リールのロック形態がリールの４つの突起により行われるので、停止精度が悪く好みのところで自在にロックし止めることができない、停止箇所が限定されてしまう、微妙な止め位置の微調整ができない。
これは例えば、フック面ファスナを設けた携帯品振れ止め具を着衣の好みの場所に取り付け、ループ面ファスナを設けた携帯電話を面ファスナ同士の係着機能により係止保持する場合に、ネックストラップで首から下げた該携帯電話の携帯品振れ止め具への係止位置が、好みの最適の吊り位置となるように微妙な位置調節を行うことができないものである。
また例えば、ネックストラップで吊り下げた携帯電話を胸のポケットに収納する場合においては、ポケットの中に宙吊り状態にしたい、ポケットの底に到達させて且つ倒れないように吊り状態にするなどの、好みの微妙な位置調節ができないものである。
｛４｝リールの回転をロック・ロック解除機構が複雑で部品点数が多く、コストが高くなる。
｛５｝携帯電話を細い紐からなるループ細紐に取り付けてぶら下げるために、付勢巻取り装置とは関係なく携帯電話がクルクルと回ってしまう。
（２）特許文献２の発明は次のような欠点を有するものであった。
｛１｝首掛けループを含めて全部を巻取る形態であるため、巻取り紐の長さが長くなり（量が多くなり）付勢巻取り装置（筐体）が大型になってしまう。
｛２｝「筐体の中央に設けられた、押すとロックが解除されて付勢巻取り状態となり離すとロックされてリールの回転が止められるようにしてなるロックボタン機構」との記載があるだけで、その具体的な構造は何ら記載されていないものであり、そのロック機構は単なる願望に過ぎないものである。
｛３｝携帯電話を細い紐からなるループ細紐に取り付けてぶら下げるために、付勢巻取り装置とは関係なく携帯電話がクルクルと回ってしまう。
（３）特許文献３の発明は次のような欠点を有するものであった。
｛１｝首掛けループを含めて全部を巻取る形態であるため、巻取り紐の長さが長くなり（量が多くなり）付勢巻取り装置（筐体）が大型になってしまう。
｛２｝親指と人差し指で筐体を摘んで、その後で人差し指でストッパー９をスライドさせてロック解除を行うものであるために、操作性が悪く煩わしい、親指と人差し指の抑え部位がずれた状態で抑え止めた状態を維持したまま、筐体を上下に移動させて巻取り紐の巻取りと引き出し操作を行うのでので摘み抑え感が悪い。
｛３｝ストッパー９に設けたボス９ａのリールと一体で回転する４箇所のいずれかの嵌合溝６ｂへの嵌合・非嵌合によりロック、ロック解除がなされるものであり、停止精度が悪く好みのところで自在にロックし止めることができない、停止箇所が限定されてしまう、微妙な止め位置の微調整ができない。
｛４｝操作レバー１３の倒し操作によるカム１４の回動により押圧部材１２を可動せて、該１２と固定部材１２でストラップ２を挟持ロックするものは、一方の手で筐体を持ち、操作レバー１３を他方の手で倒す、親指と人差し指で操作レバー１３を摘み起こさなければならず、両手操作によらなければならず、片方の手のみでは操作ができ難いものである。
特に止め位置の微妙な調節は両手で行わなければならないものであった。
（４）特許文献４の発明は次のような欠点を有するものであった。
｛１｝肩掛けベルトなどのベルト３（巻取り紐）を全部を巻取る形態であるため、巻取り紐の長さが長くなり（量が多くなり）付勢巻取り装置（筐体）が大型になってしまう。
｛２｝押しボタン５の４箇所の第２係合凹部５１と、ドラム２（リール）の４箇所の第１係合凸部２１の嵌合・非嵌合でロック・ロック解除がなされる仕組みであるので、停止精度が悪く好みのところで自在にロックし止めることができない、停止箇所が限定されてしまう、微妙な止め位置の微調整ができない。
｛３｝押しボタン５を回転しないようにすために、ドラム２の内側にケース１２から立ち下げた回転防止ガイド１８が必要であり、押し上げバネ６を入れる中空軸１５は太くなるものであるから、その分全体の幅が広くなり大型になってしまう。
さらに、回転防止ガイド１８分の前後空間を増やさなければならない、その分巻取バネ４を後方に位置させなければない、巻取バネ４の中空軸１５への固定は該１５にスリットを設けて巻取バネ４の内端を挿入して行うため、巻取バネ４が中空軸１５に内側に入るために上げ底形態となって中空軸１５の押し上げバネ６の収納長さが足りなくなり、押し上げバネ６の十分な伸縮を得るためには中空軸１５を長くしなくてはならない、ことにより前後厚さが分厚いものになる。
すなわち幅広で分厚い付勢巻取り装置になってしまうものである。
【０００５】
本発明は以上のような従来技術の欠点に鑑みてなされたものであって、
本発明の第１の目的は、片手のみのワン摘み操作による煩わしさのない軽快な上下移動止め操作および微妙な位置決め調節操作を可能とする付勢巻取り装置を提供することを目的としている。
本発明の第２の目的は、片手のみのワン摘み操作による煩わしさのない軽快な上下移動止め操作および微妙な位置決め調節操作を可能とするとともに、首に掛けるネックストラップ形態において、リールに巻取る巻取り紐の巻取り量を少なくできる付勢巻取り装置を提供することを目的としている。
【０００６】
本発明の前記ならびのそのほかの目的と新規な特徴は次の説明を添付図面と照らし合わせて読むと、より完全に明らかになるであろう。ただし、図面はもっぱら解説のためであって、本発明の技術的範囲を限定するものではない。
【課題を解決するための手段】
【０００７】
上記目的を達成するために本発明は次に述べるような構成となっている。
（請求項１記載の発明）
筐体、この筐体に設けられた発条、この発条により付勢巻取り回転する該筐体に内設されたリール、このリールに巻取られた巻取り紐とからなる付勢巻取り装置本体と、前記筐体から引き出された前記巻取り紐を通す紐通し部を有し、前記紐通し部を通された前記巻取り紐を他の部位とで付勢挟持ロックするロック部を備えた摘み抑え込みロック解除部を前部ないし後部に設け、この摘み抑え込みロック解除部を常に押し付勢する付勢手段を設け、指で摘み前記摘み抑え込みロック解除部を押え移動させて前記ロック部による前記巻取り紐の付勢挟持ロックを解除し、指を離すと前記付勢手段により前記ロック部と前記紐通し部とによる前記巻取り紐の付勢挟持ロックが自動的に行われる、前記摘み押さえ込みロック解除部および前記付勢手段を収納する外駒とからなるロック体と、カードケースと、
前記付勢巻き取り装置、前記ロック体および前記カードケースを一体的に固定連結してなるベースプレートとからなるとともに、該付勢巻取り手段の前記筐体の一部、該ロック体の摘み押さえ込みロック解除部あるいは外駒および該カードケースの全部あるいは一部が該ベースプレートと一体成型により形成されてなることを特徴とする付勢巻取り装置を構成している。
（付記）
（付記１の発明）
筐体、この筐体に設けられた発条、この発条により付勢巻取り回転する該筐体に内設されたリール（巻取りドラム）、このリールに巻取られた巻取り紐とからなる付勢巻取り装置本体と、前記筐体から引き出された前記巻取り紐を通する紐通し部を有し、前記紐通し部を通された前記巻取り紐を他の部位とで付勢挟持ロックするロック部を備えた摘み抑え込みロック解除部を前部ないし後部に設け、この摘み抑え込みロック解除部を常に押し付勢する付勢手段を設け、指で摘み前記摘み抑え込みロック解除部を押え移動させて前記ロック部による前記巻取り紐の付勢挟持ロックを解除し、指を離すと前記付勢手段により前記ロック部と前記紐通し部とによる前記巻取り紐の付勢挟持ロックが自動的に行われるロック体とで付勢巻取り装置を構成している。
（付記２の発明）
付記１記載の発明の構成において、付勢巻取り装置本体とロック体が直接的にあるいは他の部材や部位を介して一体化されてなる付勢巻取り装置を構成している。
（付記３の発明）
筐体と、筐体に設けられた発条と、この発条により付勢巻取り回転する該筐体に内設されたリールと、このリールに巻取られた巻取り紐と、この巻取り紐を前記筐体外に引き出す引出し口と、この引出し口と前記リールの間に設けられた前記筐体と一体の摘み抑え込みロック解除部支持案内部と、この摘み抑え込みロック解除部支持案内部の前方ないし後方に開口された摘み抑え込みロック解除部突出口と、前記摘み抑え込みロック解除部支持案内部に可動するように収められその一部を前記摘み抑え込みロック解除部突出口から外に突出させてなる摘み抑え込みロック解除部と、前記摘み抑え込みロック解除部を外側に常に押し出し付勢する付勢手段と、前記摘み抑え込みロック解除部に設けられた、通された前記巻取り紐を前記引出し口などの前記筐体側ロック部位とで付勢挟持ロックするロック部と、からなり、親指と他の指で前記筐体と前記摘み抑え込みロック解除部を摘み該摘み抑え込みロック解除部を押込み移動させて前記巻取り紐の付勢挟持ロックを解除し、指を離すと前記付勢手段により前記ロック部と前記筐体側ロック部位とによる前記巻取り紐の付勢挟持ロックが自動的に行われるようにしてなる付勢巻取り装置を構成している。
（付記４の発明）
筐体と、この筐体に設けられた発条と、この発条により付勢巻取り回転するリールと、このリールに巻取られた巻取り紐と、前記筐体の前部あるいは後部に指当て部位を位置させ、且つ、前記指当て部位から延長された形態で形成された抑え嘴部位を前記筐体の外側に位置させて、前記筐体から引き出された前記巻取り紐を前記筐体の外で前記抑え嘴部位で抑え挟持するクリップ形態の摘み抑え込みロック解除部とで付勢巻取り装置を構成している。
（付記５の発明）
筐体と、この筐体に設けられた発条と、この発条により付勢巻取り回転するリールと、このリールに巻取られた巻取り紐と、前記筐体の前部にあけられた開口部と、この開口部に差し込まれて前記リールに当たり抑えて回転しないように付勢摩擦ブレーキ形態でロックするように機能する抑え嘴部位、前記抑え嘴部位を有してなる指当て部位、この指当て部位を前記筐体の前部あるいは後部に位置させてなるクリップ形態の摘み抑え込みロック解除部とで付勢巻取り装置を構成している。
（付記６の発明）
筐体と、この筐体に設けられた発条と、この発条により付勢巻取り回転する前鍔および後鍔により形成された紐巻取り溝を有するリールと、このリールに巻取られた巻取り紐と、前記筐体の前部あるいは後部の前記リールから外れる部位に形成された摘み抑え込みロック解除部通し穴と、この摘み抑え込みロック解除部し通し穴に向かうように前記筐体の内側に固定された案内軸と、この案内軸に設けられた押し出し付勢手段と、前記案内軸に案内され移動可能に設けられた、その適宜な部位を前記リールの前記紐巻取り溝を形成する前記前鍔あるいは前記後ろ鍔に前記押し出し付勢手段の押し出し付勢力により当たって該リールを付勢摩擦ブレーキ形態でロックするリール当接ロック部を有する可動体と、この可動体に設けられた前記摘み抑え込みロック解除部通し穴から外側に突出された前記筐体ごと指で摘み持って押し込むことにより前記リールに当っている前記リール当接ロック部を該リールから離してロック解除状態とするための摘み抑え込みロック解除部とで付勢巻取り装置を構成している。
（付記７の発明）
付記１〜６いずれか記載の発明の構成において、第1の巻取り紐を巻取る第1のリール、第２の巻取り紐を巻取る第2のリールが設けられ、2つの摘み抑え込みロック解除部を連結して同時に動作させる、引き出された前記第1、第2の巻取り紐を外部に設けた二つの紐通し部と一つの摘み抑え込みロック解除部を有するロック体で同時にロック・ロック解除するようにするなどにより、ロックおよびロック解除が同時に行われるようにしてなる付勢巻取り装置を構成している。
（付記８の発明）
付記６記載の発明の構成において、筐体内に第1の巻取り紐を巻取る第1のリール、第２の巻取り紐を巻取る第2のリールを設け、摘み抑え込みロック解除部通し穴、案内軸、押し出し付勢手段、リール当接ロック部、可動体、摘み抑え込みロック解除部が前記第1のリールと前記第2のリールの間に設けられ、前記リール当接ロック部が前記第1のリールと前記第2のリールの前鍔あるいは後ろ鍔のいずれかに同時に当接して、ブレーキ形態でロックし同時に離れてロック解除するようにしてなる付勢巻取り装置を構成している。
（付記９の発明）
付記１〜８いずれか記載の発明の構成において、筐体の下部にプレートを形成し、前記プレートに面ファスナのフック側を形成し、前記筐体の一部ないし全部と前記プレートと、前記面ファスナのフック側とロック機構の一部を一体成形により1部品形態で形成してなる付勢巻取り装置を構成している。
（付記１０の発明）
付勢巻取り装置が付記１〜６いずれか記載の付勢巻取り装置であって、前記付勢巻取り装置から引き出された巻取り紐に略３５ｃｍ〜略６０ｃｍの長さの首掛け紐部材を設け、この首掛け紐部位の端方に着衣に係止するためのクリップや安全ピンなどの着衣係止手段を設け、前記リールに前記首掛け紐部材が巻取れないようにするために、前記首掛け紐部材を巻取れない太さとしたり、前記首掛け紐部材と前記巻取り紐とを繋ぐ連結具を巻き込まれない大きさのものとしたりしてなる付勢巻取り式ネックストラップ装置を構成している。
（付記１１の発明）
付勢巻取り装置がリールを二つ設けてなるあるいは2本の巻取り紐が引き出せる形態の付記１〜９いずれか記載の付勢巻取り装置であり、略２５ｃｍ〜略５０ｃｍの首掛け紐部材の一方の端を前記巻取り紐の一方と繋ぎ、前記首掛け紐部材の他方の端を前記巻取り紐の他方と繋ぎ、前記リールに前記首掛け紐部材が巻取れないようにするために、前記首掛け紐部材を巻取れない太さとしたり、前記首掛け紐部材と前記巻取り紐とを繋ぐ連結具を巻き込まれない大きさのものとしたりしてなる付勢巻取り式ネックストラップ装置を構成している。
（付記１２の発明）
付記１０、１１いずれか記載の発明の構成において、付勢巻取り装置の下方に携帯電話等の携帯品を取り付ける、前記携帯品が前記付勢巻取り装置と別体状態で回り裏返ないように、間隔をあけた2本の吊り紐や、プレートや、帯体、プレート型フック、連結部位付きプレート、連結部位付き針金体、面ファスナを設けたプレートなどの携帯品取付け部を設けてなる付勢巻取り式ネックストラップ装置を構成している。
（付記１３の発明）
発条により巻取り付勢されたリール、このリールに付勢巻き取られる巻取り紐、この巻取り紐の引き出し引き込みをロックするロック部、指で摘み押し圧操作することにより前記ロック部のロック状態をロック解除状態とする摘み抑えロック解除部とを有する付勢巻取り装置と、
端方に前記巻き取り紐を取り付けてなる首に掛ける形態に形成され該形態が崩れないような部材によりなる首掛け部体と、とからなり、
前記ロック解除状態において前記摘み抑えロック解除部を抑える指を緩めると付勢力により前記ロック部が自動的にロック状態になる付勢巻取り式ネックストラップ装置を構成している。
（付記１４の発明）
付記１３記載の付勢巻取り式ネックストラップ装置の構成において、付勢巻取り装置が付記１〜９いずれか記載の付勢巻取り装置である付勢巻取り式ネックストラップ装置を構成している。
【発明の効果】
【０００８】
以上の説明から明らかなように、本発明にあっては次に列挙する効果が得られる。
（請求項１記載の発明の効果）
ベースプレート、付勢巻取り装置本体の筐体の一部、外駒・摘み抑え込みロック解除部のいずれか、カードケースの前面壁・背面壁のいずれかあるいは両方を一体成形により形成してなるものであるので、大幅なコスト低減をできるのでよい。
（付記）
（付記１の発明の効果）
筐体、この筐体に設けられた発条、この発条により付勢巻取り回転する該筐体に内設されたリール（巻取りドラム）、このリールに巻取られた巻取り紐とからなる付勢巻取り装置本体と、前記筐体から引き出された前記巻取り紐を通する紐通し部を有し、前記紐通し部を通された前記巻取り紐を他の部位とで付勢挟持ロックするロック部を備えた摘み抑え込みロック解除部を前部ないし後部に設け、この摘み抑え込みロック解除部を常に押し付勢する付勢手段を設け、指で摘み前記摘み抑え込みロック解除部を押え移動させて前記ロック部による前記巻取り紐の付勢挟持ロックを解除し、指を離すと前記付勢手段により前記ロック部と前記紐通し部とによる前記巻取り紐の付勢挟持ロックが自動的に行われるロック体とで付勢巻取り装置を構成しているので、
摘み抑え込みロック解除部の後部側に親指を添え前部側に
人差し指を添え摘み挟持して、摘み抑え込みロック解除部を押し込むとロック解除となって自在に巻取り紐の付勢巻取りと引き出しが自在行え、摘み抑え込みロック解除部を抑える指を緩めた位置で自動的にロック状態となるので、好みのどの部位でも巻取り紐の挟持ロックを行い、停止箇所の限定されない微妙な止め位置決めが簡単に行えるという効果を奏する。
これは例えば、フック面ファスナを設けた携帯品振れ止め具を着衣の好みの場所に取り付け、ループ面ファスナを設けた携帯電話を面ファスナ同士の係着機能により係止保持する場合に、ネックストラップで首から下げた該携帯電話の携帯品振れ止め具への係止位置が、好みの最適の吊り位置となるように微妙な位置調節を行うことができるものである。
また例えば、ネックストラップで吊り下げた携帯電話を胸のポケットに収納する場合においては、ポケットの中に宙吊り状態にしたい、ポケットの底に到達させて且つ倒れないように吊り状態にするなどの、好みの微妙な位置調節ができるものである。
（付記２の発明の効果）
付記１記載の発明の構成において、付勢巻取り装置本体とロック体が直接的にあるいは他の部材や部位を介して一体化されてなる付勢巻取り装置を構成しているので、
付記１記載の発明の効果に加えて、付勢巻取り装置本体とロック体が常に同じ向きで常に真っ直ぐ状態にあるので、摘みロック解除を維持したままでの上下移動操作が違和感無く軽快に行えるという効果を奏する。
（付記３の発明の効果）
筐体と、この筐体に設けられた発条と、この発条により付勢巻取り回転する該筐体に内設されたリールと、このリールに巻取られた巻取り紐と、この巻取り紐を前記筐体外に引き出す引出し口と、この引出し口と前記リールの間に設けられた前記筐体と一体の摘み抑え込みロック解除部支持案内部と、この摘み抑え込みロック解除部支持案内部の前方ないし後方に開口された摘み抑え込みロック解除部突出口と、前記摘み抑え込みロック解除部支持案内部に可動するように収められその一部を前記摘み抑え込みロック解除部突出口から外に突出させてなる摘み抑え込みロック解除部と、前記摘み抑え込みロック解除部を外側に常に押し出し付勢する付勢手段と、前記摘み抑え込みロック解除部に設けられた、通された前記巻取り紐を前記引出し口などの前記筐体側ロック部位とで付勢挟持ロックするロック部と、からなり、親指と他の指で前記筐体と前記摘み抑え込みロック解除部を摘み該摘み抑え込みロック解除部を押込み移動させて前記巻取り紐の付勢挟持ロックを解除し、指を離すと前記付勢手段により前記ロック部と前記筐体側ロック部位とによる前記巻取り紐の付勢挟持ロックが自動的に行われるようにしてなる付勢巻取り装置を構成しているので、
摘み抑え込みロック解除部を筐体ごと親指と人差し指で摘み、そのままの摘み位置で押し込み・緩め解放操作を行うことができ、自在に巻取り紐を好みの位置でロックすることができ、このような構成としても付記１記載の発明と同様な効果を奏する。
（付記４の発明の効果）
筐体と、この筐体に設けられた発条と、この発条により付勢巻取り回転するリールと、このリールに巻取られた巻取り紐と、前記筐体の前部あるいは後部に指当て部位を位置させ、且つ、前記指当て部位から延長された形態で形成された抑え嘴部位を前記筐体の外側に位置させて、前記筐体から引き出された前記巻取り紐を前記筐体の外で前記抑え嘴部位で抑え挟持するクリップ形態の摘み抑え込みロック解除部とで付勢巻取り装置を構成しているので、
摘み抑え込みロック解除部を筐体ごと親指と人差し指で摘み、そのままの摘み位置で押し込み・緩め解放操作を行うことができ、自在に巻取り紐を好みの位置でロックすることができ、このような構成としても付記１記載の発明と同様な効果を奏する。
（付記５の発明の効果）
筐体と、この筐体に設けられた発条と、この発条により付勢巻取り回転するリールと、このリールに巻取られた巻取り紐と、前記筐体の前部にあけられた開口部と、この開口部に差し込まれて前記リールに当たり抑えて回転しないように付勢摩擦ブレーキ形態でロックするように機能する抑え嘴部位、前記抑え嘴部位を有してなる指当て部位、この指当て部位を前記筐体の前部あるいは後部に位置させてなるクリップ形態の摘み抑え込みロック解除部とで付勢巻取り装置を構成しているので、
摘み抑え込みロック解除部を筐体ごと親指と人差し指で摘み、そのままの摘み位置で押し込み・緩め解放操作を行うことができ、リールを好みの位置で自在に止めることができ、このような構成としても前記付記１記載の発明と同様な効果を奏する。
（付記６の発明の効果）
筐体と、この筐体に設けられた発条と、この発条により付勢巻取り回転する前鍔および後鍔により形成された紐巻取り溝を有するリールと、このリールに巻取られた巻取り紐と、前記筐体の前部あるいは後部の前記リールから外れる部位に形成された摘み抑え込みロック解除部通し穴と、この摘み抑え込みロック解除部し通し穴に向かうように前記筐体の内側に固定された案内軸と、この案内軸に設けられた押し出し付勢手段と、前記案内軸に案内され移動可能に設けられた、その適宜な部位を前記リールの前記紐巻取り溝を形成する前記前鍔あるいは前記後ろ鍔に前記押し出し付勢手段の押し出し付勢力により当たって該リールを付勢摩擦ブレーキ形態でロックするリール当接ロック部を有する可動体と、この可動体に設けられた前記摘み抑え込みロック解除部通し穴から外側に突出された前記筐体ごと指で摘み持って押し込むことにより前記リールに当っている前記リール当接ロック部を該リールから離してロック解除状態とするための摘み抑え込みロック解除部とで付勢巻取り装置を構成しているので、
摘み抑え込みロック解除部を筐体ごと親指と人差し指で摘み、そのままの摘み位置で押し込み・緩め解放操作を行うことができ、リールを好みの位置で自在に止めることができ、このような構成としても前記付記１記載の発明と同様な効果を奏する。
（付記７の発明の効果）
付記１〜６いずれか記載の発明の構成において、第1の巻取り紐を巻取る第1のリール、第２の巻取り紐を巻取る第2のリールが設けられ、2つの摘み抑え込みロック解除部を連結して同時に動作させる、引き出された前記第1、第2の巻取り紐を外部に設けた二つの紐通し部と一つの摘み抑え込みロック解除部を有するロック体で同時にロック・ロック解除するようにするなどにより、ロックおよびロック解除が同時に行われるようにしてなる付勢巻取り装置を構成しているので、
付記１〜６いずれか記載の発明の効果に加えて、引き出された第１の巻取り紐と第１の巻取り紐を繋ぐ形態で首かけ帯紐を設ける、第１の巻取り紐と第２の巻取り紐を１本の紐体で構成することにより、首掛けループを形成して首に掛けて片手で自由自在に軽快に上下移動操作ができ、好みの位置に止め係留させることが素早く軽快に行え、微妙な位置調節が片手のみで簡単に行えるネックストラップを実現するという効果を奏する。
（付記８の発明の効果）
付記６記載の発明の構成において、筐体内に第1の巻取り紐を巻取る第1のリール、第２の巻取り紐を巻取る第2のリールを設け、摘み抑え込みロック解除部通し穴、案内軸、押し出し付勢手段、リール当接ロック部、可動体、摘み抑え込みロック解除部が前記第1のリールと前記第2のリールの間に設けられ、前記リール当接ロック部が前記第1のリールと前記第2のリールの前鍔あるいは後ろ鍔のいずれかに同時に当接して、ブレーキ形態でロックし同時に離れてロック解除するようにしてなる付勢巻取り装置を構成しているので、
このような構成としても前記付記７記載の発明の効果と同様な効果を奏することができる。
（付記９の発明の効果）
付記１〜８いずれか記載の発明の構成において、筐体の下部にプレートを形成し、前記プレートに面ファスナのフック側を形成し、前記筐体の一部ないし全部と前記プレートと、前記面ファスナのフック側とロック機構の一部を一体成形により1部品形態で形成してなる付勢巻取り装置を構成しているので、
付記１〜８いずれか記載の発明の効果と同様な効果を奏するとともに、構成部品の多くを一体成形により形成したので、大幅なコスト低減を図ることができるという効果を奏する。
（付記１０の発明の効果）
付勢巻取り装置が付記１〜６いずれか記載の付勢巻取り装置であって、前記付勢巻取り装置から引き出された巻と取り紐に略３５ｃｍ〜略６０ｃｍの長さの首掛け紐部材を設け、この首掛け紐部位の端方に着衣に係止するためのクリップや安全ピンなどの着衣係止手段を設け、前記リールに前記首掛け紐部材が巻取れないようにするために、前記首掛け紐部材を巻取れない太さとしたり、前記首掛け紐部材と前記巻取り紐とを繋ぐ連結具を巻き込まれない大きさのものとしたりしてなる付勢巻取り式ネックストラップ装置を構成しているので、
例えば、着衣係止手段を胸ポケットと反対側の前立て部位などに止め、首掛け紐部材を首の後ろ側を廻して胸ポケット側に垂らすことにより、携帯電話やＩＤカードケースなどの携帯品を胸ポケット側に吊垂らすことができ、且つ、その状態から片手で摘んで摘み抑え込みロック解除部を押し込んで携帯品を上下・前後に自在に移動させ、好みの位置で止め係留することが自在にでき、微妙な位置調節も簡単容易に行えるという効果を奏する。この状態では、１本紐によりポケット側によった携帯品の吊り下げが行われるので、胸ポケットに携帯品を略垂直な状態である携帯スタイルのよい状態で、その収納位置を好みの位置にして収納することができるという効果を奏する。当然、片手のみで腕を略延ばしきって翳す、腕を延ばしきった状態でロックして、携帯電話を手に持って撮影、ボタン操作などが行えるという効果を奏する。
（付記１１の発明の効果）
付勢巻取り装置がリールを二つ設けてなるあるいは2本の巻取り紐が引き出せる形態の付記１〜９いずれか記載の付勢巻取り装置であり、略２５ｃｍ〜略５０ｃｍの首掛け紐部材の一方の端を前記巻取り紐の一方と繋ぎ、前記首掛け紐部材の他方の端を前記巻取り紐の他方と繋ぎ、前記リールに前記首掛け紐部材が巻取れないようにするために、前記首掛け紐部材を巻取れない太さとしたり、前記首掛け紐部材と前記巻取り紐とを繋ぐ連結具を巻き込まれない大きさのものとしたりしてなる付勢巻取り式ネックストラップ装置を構成しているので、
前記付記７記載の発明と同様な効果を奏する。
（付記１２の発明の効果）
付記１０、１１いずれか記載の発明の構成において、付勢巻取り装置の下方に携帯電話等の携帯品を取り付ける、前記携帯品が前記付勢巻取り装置と別体状態で回り裏返ないように、間隔をあけた2本の吊り紐や、プレートや、帯体、プレート型フック、連結部位付きプレート、連結部位付き針金体、面ファスナを設けたプレートなどの携帯品取付け部を設けてなる付勢巻取り式ネックストラップ装置を構成しているので、
付記１０、１１いずれか記載の発明の構成に加えて、首から吊り下げた携帯電話機が回って裏返ったりすることが起こり難くできるという効果を奏する。
（付記１３の発明の効果）
発条により巻取り付勢されたリール、このリールに付勢巻き取られる巻取り紐、この巻取り紐の引き出し引き込みをロックするロック部、指で摘み押し圧操作することにより前記ロック部のロック状態をロック解除状態とする摘み抑えロック解除部とを有する付勢巻取り装置と、
端方に前記巻き取り紐を取り付けてなる首に掛ける形態に形成され該形態が崩れないような部材によりなる首掛け部体と、とからなり、
前記ロック解除状態において前記摘み抑えロック解除部を抑える指を緩めると付勢力により前記ロック部が自動的にロック状態になる付勢巻取り式ネックストラップ装置を構成しているので、
着衣に係止することなく首に掛け使用するものであるので、着衣を選ばずに使用することができるという効果を奏する。
首の片側から携帯品を下げ操作することができ、とくに胸ポケットに携帯品を入れ保持する場合に、巻取り紐の下がりが一本であり且つ胸ポケット側に下げることができるので、下がり具合がポケット側となって見た目も操作性も良いという効果を奏する。
「指で摘み押し圧操作することにより前記ロック部のロック状態をロック解除状態とし、前記ロック解除状態において前記摘み抑えロック解除部を抑える指を緩めると付勢力により前記ロック部が自動的にロック状態する摘み抑えロック解除部」を設けているので、スムーズな移動および好みの位置での停止・係留が片手のみで軽快に行え、微妙な位置調節も容易に行えるという効果を奏する。
（付記１４の発明の効果）
付記１３記載の付勢巻取り式ネックストラップ装置の構成において、付勢巻取り装置が付記１〜９いずれか記載の付勢巻取り装置である付勢巻取り式ネックストラップ装置を構成しているので、前記付記１３記載の発明と同様な効果を奏することができる。
【発明を実施するための最良の形態】
【０００９】
以下、図面に示す発明を実施するための最良の形態により、本発明を詳細に説明する。但し、発明をそれらににみに限定するものではない。
【００１０】
＜第１の実施の形態＞
図１ないし図２に示す本発明を実施するための最良の第１の実施の形態において１は付勢巻取り式ネックストラップ装置であって、この付勢巻取り式ネックストラップ装置１は、プレート２の表面に該２と一体化された付勢巻取り装置３と、該３の下方ペースプレート２の表面に設けられたフック面ファスナ４（携帯品着脱保持手段）と付勢巻取り装置３から左右に引き出された巻取り紐１３、１４を連結するように設けられた、該１３、１４とともに首掛けループ１２を形成する首掛け帯紐６とからなっている。
巻取り紐１３、１４と首掛け帯紐６（平紐）は嵌合形態の着脱パーツ２２により連結され、略２ｋｇの引張り強さで分離する。着脱パーツ２２は繰り返し嵌合連結と分離が行える。
付勢巻取り装置３は、
横長の前プレート９、該９と同形状の後プレート１０とからなる筐体１１、前プレート９と後プレート１０の中央に固定された軸（図示せず）、この軸に内側端を固定された発条（図示せず）、この発条を内設するような形態で該発条の外端を固定してなる該発条で回転付勢されてなるリール（図示せず）、このリールに左側から巻き取られた巻取り紐１３、リールに右側から巻き取られた巻取り紐１４、筐体１１の左側に回転自在に設けられた巻取り紐１３を案内する案内コロ１５、筐体１１の右側に回転自在に設けられた巻取り紐１４を案内する案内コロ１６とからなる付勢巻取り装置本体１７と、
筐体１１の上方に設けられた、巻取り紐１３、１４を案内する案内コロ１８、１９からなる巻取り紐案内部２０と、
この巻取り紐案内部２０の上部に設けられた、巻取り紐１３、１４を通し且つその移動をロックしたりロック解除したりするロック体２１と、
とからなっている。
巻取り紐１３のリール（図示せず）にへの巻取りは巻取り紐１４とは逆巻きになっている。
ロック体２１は、
上部開口の円容器形態の外駒３５と、この外駒３５内に可動可能に設けられたヘッド３６、このヘッド３６の内側中央に可動方向に向いて設けられた付勢手段入り部３７を有する支柱３８、この支柱３８の後部に円盤形態で設けられた、通された巻取り紐１３、１４を挟持するための挟持板３９とからなる摘み抑え込みロック解除部４０と、付勢手段入り部３７に収納されて摘み抑え込みロック解除部４０を常に付勢状態とする圧縮コイルバネなどの押し出し付勢手段４１と、外駒３５を貫抜くように側壁に形成された巻取り紐１３、１４を通すための外駒紐通し孔４２、４２と、外駒紐通し孔４２、４２の間に形成された分離部４３、４３とからなり、外駒紐通し孔４２、４２に通された巻取り紐１３、１４が、摘み抑え込みロック解除部４０がフリーの状態では摘み抑え込みロック解除部４０が押し出し付勢手段４１により押されて巻取り紐１３、１４を外駒３５の外駒紐通し孔４２、４２と可動駒１１の挟持板３９とで挟持ロックしてロックして係留状態とし、摘み抑え込みロック解除部４０をロック体２１を摘んだ指で押し込むとロック状態が解除されて、自由自在に移動させることができ、指での押し込みを止めると好みの位置に止め係留させることができ、且つ、微妙な位置調節が簡単自在に行うことができる。
ロック体は一形態例であって、他に摘み抑え込みロック解除部が伏せ椀形態でそれに紐通し穴を設けてなる形態などがある、
４箇所の掛け穴５は、携帯電話Ｋに取り付けた開閉環８を有する細紐ループ取付け部材７の開閉環８を掛けて、ループ面ファスナ２３を裏面に設けた携帯電話Ｋの落下を防止するためのものである。
腕を素早く略延ばしきっての携帯電話の操作、付勢巻き戻し動作により素早く首に近い位置に上げ止めて振れの小さい携行を実現する。
また、どの位置においても吊紐の垂れ下がりの生じない携行を実現する。
携帯品着脱保持手段は、面ファスナだけにとどまらず、他に磁石、フックないしフック掛け、携帯品収納ケースなどがある。
【００１１】
（発明を実施するための異なる形態）
次に、本発明を実施するための異なる形態について説明する。なお、これら本発明を実施するための異なる形態の説明に当って、本発明を実施するための最良の第１の実施の形態と同一構成部分には同一符号を付して重複する説明を省略する。
【００１２】
＜第２の実施の形態＞
図３に示す本発明を実施するための最良の第２の実施の形態において前記第１の実施の形態と主に異なる点は、携帯品着脱保持手段を２箇所のフック５０、５１としてなる付勢巻取り式ネックストラップ装置５３を形成した点にある。
携帯電話Ｋにはフック５０、５１に掛ける細棒からなるフック掛け５４、５５を設けている。
【００１３】
＜第３の実施の形態＞
図４に示す本発明を実施するための最良の第３の実施の形態において前記第１の実施の形態と主に異なる点は、付勢巻取り装置を発条（図示せず）、この発条に付勢巻取り回転状態とされたリール（図示せず）、このリールに巻き取られる巻取り紐５８、これらを内設してなる筐体５７とからなる付勢巻取り装置本体５９、６０とし、付勢巻取り装置本体５９、６０から引き出された巻取り紐５８、５８を他のものを介さずロック体２１に通し、プレート２の下部にフック面ファスナ６１を有する吊バンド６２を設け、プレート２の背部面にフック面ファスナ６１を係着するループ面ファスナ６３を設けてなる付勢巻取り式ネックストラップ装６４を形成した点にある。
携帯電話Ｋには吊バンド６２を通すバン細棒部材からなるバンド通し掛り部６５が設けられている。
ロック体２１、巻取り紐案内部２０、付勢巻取り装置本体５９、６０とで付勢巻取り装置５６を形成している。
【００１４】
＜第４の実施の形態＞
図５に示す本発明を実施するための最良の第４の実施の形態において前記第１の実施の形態と主に異なる点は、付勢巻取り装置本体１７に変えて付勢巻取り装置本体５９、６０を設け、プレート２の付勢巻取り装置本体５９，６０の下方部位に立ち下げられた携帯品取付け部６８を設け、この携帯品取付け部６８の左右側部の上下に係止凹部６９、６９，６９，６９を設け、携帯品取付け部６８の裏面にフック面ファスナ４を設けてなる付勢巻取り式ネックストラップ装置７０を形成した点にある。
携帯電話Kの裏側には係止凹部６９、６９，６９，６９の下縁が填まる下か上に向かう填り溝を有する係止部７１，７１，７１，７１が最初から設けられていたり、後で粘着剤により接着したりして設けられている。
係止凹部６９、６９，６９，６９に携帯品側係止部７１，７１，７１，７１を入れプレート２を上方に移動ないし携帯電話Kを下方に移動させて携帯品側係止部７１，７１，７１，７１の填り溝に係止凹部６９、６９，６９，６９の下縁を填め込み、プレート２に携帯電話Kを装着する。
係止凹部６９、６９，６９，６９から携帯品側係止部７１，７１，７１，７１が携帯電話Kの上下振れ動作や、携帯電話Kを手に持っての操作動作などでは抜けないように、軽摩擦填り形態、一方の側の前部や背部や側部に微小凹部を設け、その凹みに填る微小凸部を設けるなどするのがよい。
【００１５】
＜第５の実施の形態＞
図６に示す本発明を実施するための最良の第５の実施の形態において前記第１の実施の形態と主に異なる点は、付勢巻取り装置本体１７に変えて二本の平紐からなる巻取り紐７３、７３を同一口から引き出してなる付勢巻取り装置本体７４を設け、プレート２の付勢巻取り装置本体７４の下方部位に立ち下げられた携帯品取付け部６８を設け、この携帯品取付け部６８の左右側部の上下に係止凹部６９、６９，６９，６９を設け、携帯品取付け部６８の裏面にフック面ファスナ４を設けてなるてなる付勢巻取り式ネックストラップ装置７５を形成した点にある。
巻取り紐７３、７３は重なってリールに付勢巻き取られている。
【００１６】
＜第６の実施の形態＞
図７に示す本発明を実施するための最良の第６の実施の形態において前記第１の実施の形態と主に異なる点は、付勢巻取り装置本体を付勢巻取り装置本体５９、６０とし、巻取り紐５８、５８をロックするロック体をロック体７７とした付勢巻取り式ネックストラップ装置７８を形成した点にある。
ロック体７７はプレート２に間隔をあけて立設された支柱７９ａ、７９ｂと、この支柱７９ａ、７９ｂに可動可能に孔を有する下部プレート８０を通してなる四角中空形態で上部プレート８１を指当て部位としてなる可動体８２と、支柱７９ａ、７９ｂの上部を渡らせるように固定され且つ可動体８２の内側に位置されるように設けられた挟持部８３と、支柱７９ａ、７９ｂにセットされ可動体８２とプレート２の間に位置されて可動体８２を押し付勢する圧縮コイルバネ８４ａ、８４ｂとからなっている。
巻取り紐５８、５８は、圧縮コイルバネ８４ａ、８４ｂの押し付勢力により挟持部８３と下部プレート８０で挟持ロック状態とされ、指で摘み可動体８２を押し移動（沈ませる）させると、挟持部８３から下部プレート８０が離れ移動してロック状態が解除され、指で抑えたまま携帯品Ｋの移動を自在に行うことができ、指を緩めたところで、ロック状態とされその位置に停止される。また、可動体８２を指で押したまま微妙な位置調節が容易に行える。
【００１７】
＜第７の実施の形態＞
図８、図９、図１０に示す本発明を実施するための最良の第７の実施の形態において（ａ）（ｂ）の８６は付勢巻取り式ネックストラップ装置であって、この付勢巻取り式ネックストラップ装置８６はベースプレート８７と、このベースプレート８７の最上部に設けられた一つ紐通し穴形態のロック体８８と、このロック体８８の下部でベースプレート８７に設けられた付勢巻取り装置本体５９と、ベースプレート８７の最下部に設けられた携帯品着脱保持部（面ファスナ、磁石、フック、ケースなど）であるカードケース８９と、ロック体８８から引き出された巻取り紐５８のと連結された首に掛ける帯紐からなる首掛け紐部９０と、この首掛け紐部９０の先端に設けられた着衣を係止するためのクリップ９１と、首掛け紐部９０と巻取り紐５８を着脱自在形態で連結してなる着脱パーツ２２とからなっている。
ベースプレート８７、ロック体８８、付勢巻取り装置本体５９で付勢巻取り装置９２を形成している。
ベースプレート８７、
図9に示すようにロック体８８は円形容器形態の紐通し穴９３を上下に貫通させてなる外駒９４と、この外駒９４に可動可能に一部を収納した紐通し穴９５を上下に貫通させてなる伏せ容器形態の内駒である摘み抑え込みロック解除部９６と、この摘み抑え込みロック解除部９６に収納された圧縮コイルバネ９７とからなっていて、紐通し穴９３と紐通し穴９５に通された巻取り紐５８を解放状態では紐通し穴９３と紐通し穴９５で挟持ロック（上図）し、摘み抑え込みロック解除部９６を指で摘み押し込むと挟持ロック解除（下図）となり、指を緩め・離すと圧縮コイルバネ９７の押し付勢力により自動的に摘み抑え込みロック解除部９６は押し出し動作となり、紐通し穴９３と紐通し穴９５で巻取り紐５８は付勢挟持ロック状態となる。
ベースプレート８７、付勢巻取り装置本体５９の筐体の一部、外駒９５・摘み抑え込みロック解除部９６のいずれか、カードケース８９の前面壁・背面壁のいずれかあるいは両方を一体成形により形成してなるものが、大幅なコスト低減をできるのでよい。
図１０に示すように、付勢巻取り式ネックストラップ装置８６は、首掛け紐部９０を首に掛け、クリップ９１で着衣の前立て部位などを係止し、首の片側にカードケース８９を吊り下げて携行する。
【００１８】
図９の（ｃ）は付勢巻取り式ネックストラップ装置８６の変形であって、付勢巻取り装置本体５９の半分ほどにカードケース８９の上部を固定し、巻取り紐５８にロック体８８が取り付けられてなる付勢巻取り式ネックストラップ装置９９を形成した点にある。
付勢巻取り装置本体５９とロック体８８で付勢巻取り装置１００を構成している。
【００１９】
＜第８の実施の形態＞
図１１に示す本発明を実施するための最良の第８の実施の形態において前記第１の実施の形態と主に異なる点は、着脱パーツ２２にカードケース８９を設けた付勢巻取り装置９２を吊り下げた点にある。
より具体的には、着脱パーツの雄パーツ１０３を首掛け帯紐６に取付け、雄パーツ１０３には帯紐を通す紐通し部１０４があり、この紐通し部１０４に付勢巻取り装置９２側のループ形態の細吊り紐１０６を通し掛けて該９２を吊り下げている。
付勢巻取り装置９２の巻き取り紐の先端には着脱パーツ１０７が取り付けられ、着脱パーツ１０７には細吊り紐１０６が設けれれている。紐通し部１０４に細吊り紐１０６を通し掛けるには、着脱パーツ１０７を切り離して行う。
【００２０】
＜第９の実施の形態＞
図１２に示す本発明を実施するための最良の第９の実施の形態において前記第７の実施の形態と主に異なる点は、付勢巻取り装置を下部面にフック面ファスナ４を設けたプレート２と、このプレート２の上部に設けた付勢巻取り装置本体５９と、この付勢巻取り装置本体５９の前部に設けたクリップ形態のロック体１０８と、このロック体１０８の摘み抑え込みロック解除部１０９と、この摘み抑え込みロック解除部１０９のロック嘴である付勢巻取り装置本体５９の外側上方で巻取り紐５８を挟持ロックする抑え嘴部位１１０と、プレート２に固定されて抑え嘴部位１１０を填め込む凹形態をし巻取り紐５８を通してなる受け挟持部１１１とからなる付勢巻取り装置１１２とした付勢巻取り式ネックストラップ装置１１３を形成した点にある。
摘み抑え込みロック解除部１０９を最大に抑え込んでも、抑え嘴部位１１０が受け挟持部１１１内にあって、巻取り紐５８が外れることがないようになっている。
ロック解除部１０９の指当て部１１４は指納まりが良いように縁凸形態となっている。
【００２１】
＜第１０の実施の形態＞
図１３に示す本発明を実施するための最良の第１０の実施の形態において前記第９の実施の形態と主に異なる点は、付勢巻取り装置１１２と同じ構造の付勢巻取り装置１１２ａ、付勢巻取り装置１１２ｂを横並びで設け、摘み抑え込みロック解除部１０９を連結部１１６で連結し、連結部１１６の中央に指当て部１１４を設けて、同時にロックとロック解除動作が行われるようにした付勢巻取り式ネックストラップ装置１１７を形成した点にある。
首掛け帯紐６は首掛けループ１２を形成する。
【００２２】
＜第１１の実施の形態＞
図１４に示す本発明を実施するための最良の第１１の実施の形態において前記第１の実施の形態と主に異なる点は、ロック体を第９の実施の形態のロック体１０８としてなる付勢巻取り式ネックストラップ装置１２０を形成した点にある。
ロック体１０８、付勢巻取り装置本体１７、巻取り紐案内部２０で付勢巻取り装置１２１を形成している。
ロック体１０８は巻取り紐案内部２０上に軸支されている。
【００２３】
＜第１２の実施の形態＞
図１５、図１６に示す本発明を実施するための最良の第１２の実施の形態において１２４は付勢巻取り式ネックストラップ装置であって、この付勢巻取り式ネックストラップ装置１２４は付勢巻取り装置１２５と、この付勢巻取り装置１２５の下方に立ち下げられたプレート２と、このプレート２の表面に設けられたフック面ファスナ４と、付勢巻取り装置１２５から引き出された巻取り紐５８に繋がれた首掛け紐部９０と、この首掛け紐９０の先端に取り付けられたクリップ９１（省略）とからなっている。
付勢巻取り装置１２５は、
筐体５７、この筐体５７内に固定軸１３２に内端を固定して設けられた発条１３４、この発条１３４により付勢巻取り回転するリール１２６と、このリール１２６に巻取られた巻取り紐５８、筐体５７の前部上方にあけられた開口部１２７とからなる付勢巻取り装置本体１２８と、
開口部１２７に付勢差し込まれてリール１２６に当たり抑えて回転しないように付勢摩擦ブレーキ形態で該１２６をロックする抑え嘴部位１１０を有し、指当て部位１１４を筐体５７上に位置させてなる摘み抑え込みロック解除部１０９を有してなるクリップ形態のロック体１２９と、とからなっている。
付勢巻取り装置１２５を指で摘み持って、摘み抑え込みロック解除部１０９を抑え込むと、抑え嘴部位１１０は当接しているリール１２６から離れて、リール１２６は回転自由の状態となって、巻取り紐５８を引き出したり付勢回転引き戻しを行うことが自在に行え、摘み抑え込みロック解除部１０９の指を離すと付勢手段１３０の閉め付勢力により抑え嘴部位１１０は自動的にリール１２６に付勢当接してブレーキを聞かせてリール１２６の回転をロックし、その位置に停止係留させる。
【００２４】
＜第１３の実施の形態＞
図１７に示す本発明を実施するための最良の第１３の実施の形態において前記第１２の実施の形態と主に異なる点は、付勢巻取り装置１２５と同じ構造の付勢巻取り装置１２５ａ、付勢巻取り装置１２５ｂを横並びで設け、摘み抑え込みロック解除部１０９を連結部１１６で連結し、連結部１１６の中央に指当て部１１４を設けて、同時にロックとロック解除動作が行われるようにした付勢巻取り式ネックストラップ装置１３６を形成した点にある。
首掛け帯紐６は首掛けループ１２を形成する。
【００２５】
＜第１４の実施の形態＞
図１８、図１９に示す本発明を実施するための最良の第１４の実施の形態において１３９は付勢巻取り式ネックストラップ装置であって、この付勢巻取り式ネックストラップ装置１３９は付勢巻取り装置１４０と、この付勢巻取り装置１４０の下方に立ち下げられたプレート２と、このプレート２の表面に設けられたフック面ファスナ４と、付勢巻取り装置１４０から引き出された巻取り紐５８に繋がれた首掛け紐部９０と、この首掛け紐９０の先端に取り付けられたクリップ９１（省略）とからなっている。
付勢巻取り装置１４０は、
筐体５７、この筐体５７に設けられた発条１３４、この発条１３４により付勢巻取り回転する前鍔１４１および後鍔１４２により形成された紐巻取り溝１４３を有するリール１４４とからなる付勢巻取り装置本体１５１と、
このリール１４４に巻取られた巻取り紐５８と、
筐体５７の前部のリール１４３から外れる下部位に形成された摘み抑え込みロック解除部通し穴１４５と、
この摘み抑え込みロック解除部し通し穴１４５に向かうように筐体５７の内側に固定された案内軸１４６と、
この案内軸１４６に設けられた押し出し付勢手段である圧縮コイルバネ１４７と、
案内軸１４６に案内され移動可能に設けられた、その適宜な部位をリール１４３の前鍔１４１に圧縮コイルバネ１４７の押し出し付勢力により当り抑えてリール１４３を付勢摩擦ブレーキ形態でロックするリール当接ロック部１４８を有する可動体１４９と、
この可動体１４９に設けられた摘み抑え込みロック解除部通し穴１４５から外側に突出された筐体５７ごと指で摘み持って押し込むことにより前記リール１４４（前鍔１４１）に当っているリール当接ロック部１４８をリール１４４（前鍔１４１）から離してロック解除状態とするための摘み抑え込みロック解除部１５０と、とからなっている。
【００２６】
＜第１５の実施の形態＞
図２０に示す本発明を実施するための最良の第１５の実施の形態において前記第１４の実施の形態と主に異なる点は、付勢巻取り装置１４０と同じ構造の付勢巻取り装置１４０ａ、付勢巻取り装置１４０ｂを横並びで設け、摘み抑え込みロック解除部１５０を連結部１１６で連結し、連結部１１６の中央に指当て部１１４を設けて、同時にロックとロック解除動作が行われるようにした付勢巻取り式ネックストラップ装置１５３を形成した点にある。
首掛け帯紐６は首掛けループ１２を形成する。
【００２７】
＜第１６の実施の形態＞
図２１図２２に示す本発明を実施するための最良の第１６の実施の形態において１５５は付勢巻取り式ネックストラップ装置であって、この付勢巻取り式ネックストラップ装置１５５は付勢巻取り装置１５６と、この付勢巻取り装置１５６の下方に立ち下げられたプレート２と、このプレート２の表面に設けられたフック面ファスナ４と、付勢巻取り装置１５６から引き出された巻取り紐５８、５８に繋がれた首掛けループ１２を形成する首掛け紐部９０（省略）とからなっている。
付勢巻取り装置１５６は、
筐体１５７と、
この筐体１５７内に設けられた第１の固定支柱１５８、該１５８に間隔をあけて横側に設けられた第２の固定支柱１５９と、
第１の固定支柱１５８の後部に内側端を固定して設けられた第１の発条１６０、第２の固定支柱１５９の後部に内側端を固定して設けられた第２の発条１６１と、
第１の固定支柱１５８に回転自在に軸支され、後部に第１の発条１６０を囲い且つ該１６０の外端を固定してなる発条囲い部１６２を設け、前部に鍔部１６３を設け、発条囲い部１６２と鍔部１６３の間に紐巻取り溝１６４を形成してなる巻取り紐５８を巻き取る第１のリール１６５、第２の固定支柱１５９に回転自在に軸支され、後部に第２の発条１６１を囲い且つ該１６１の外端を固定してなる発条囲い部１６２を設け、前部に鍔部１６３を設け、発条囲い部１６２と鍔部１６３の間に紐巻取り溝１６４を形成してなる巻取り紐５８を巻き取る第２のリール１６６と、
筐体５７の前部の第１のリール１６５と第２のリール１６６の間に設けられた摘み抑え込みロック解除部通し穴１６７と、
この摘み抑え込みロック解除部し通し穴１６７に向かうように筐体５７の後部壁内側に固定された案内軸１６８と、
この案内軸１６８に設けられた押し出し付勢手段である圧縮コイルバネ１６９と、
案内軸１６８に案内され移動可能に設けられた、その適宜な部位をリールの鍔部１６３、１６３に圧縮コイルバネ１６９の押し出し付勢力により当り抑えて第１のリール１６５、第２のリール１６６を付勢摩擦ブレーキ形態でロックするリール当接ロック部１７０を有する可動体１７１と、
この可動体１７１に設けられた摘み抑え込みロック解除部通し穴１６７から外側に突出された筐体１５７ごと指で摘み持って押し込むことにより第１のリール１６５、第２のリール１６６（鍔部１６３、１６３）に当っているリール当接ロック部１７０を鍔部１６３、１６３から離してロック解除状態とするための摘み抑え込みロック解除部１７２と、とからなっている。
リール当接ロック部１７０および鍔部１６３、１６３の両方あるいはいずれか一方にゴム製部材などの摩擦部材を設けるのもよい。また両方に摩擦ブレーキと殆ど変わらない作用となる微細凸凹を設けるのもよい。
【００２８】
＜第１７の実施の形態＞
図２３に示す本発明を実施するための最良の第１７の実施の形態において前記第１７の実施の形態と主に異なる点は、第１のリール１６５と第２のリール１６６の並べ方を縦並びとした付勢巻取り式ネックストラップ装置１７５を形成した点にある。
【００２９】
＜第１８の実施の形態＞
図２４に示す本発明を実施するための最良の第１８の実施の形態において１７８は付勢巻取り式ネックストラップ装置であって、この付勢巻取り式ネックストラップ装置１７８は付勢巻取り装置１７９と、この付勢巻取り装置１７９の下方に立ち下げられたプレート２と、このプレート２の表面に設けられたフック面ファスナ４と、付勢巻取り装置１７９から引き出された巻取り紐５８に繋がれた首掛け紐部９０と、この首掛け紐９０の先端に取り付けられたクリップ９１（省略）とからなっている。
付勢巻取り装置１７９は、
筐体１５７と、
この筐体１５７に設けられた発条１３４（図示せず）と、
この発条１３４により付勢巻取り回転する筐体５７に内設されたリール１２６と、
このリール１２６に巻取られた巻取り紐５８と、
この巻取り紐５８を筐体５７外に引き出す引出し口１３１と、
この引出し口１３１とリール１２６の間に設けられた筐体１５７と一体（別部材により形成され接着などにより一体化）の摘み抑え込みロック解除部支持案内部１８０と、
この摘み抑え込みロック解除部支持案内部１８０の前部に開口された摘み抑え込みロック解除部突出口１８１と、
摘み抑え込みロック解除部支持案内部１８０に可動するように収められその一部を摘み抑え込みロック解除部突出口１８１から外に突出させてなる摘み抑え込みロック解除部１８２と、
摘み抑え込みロック解除部１８２を外側に常に押し出し付勢する付勢手段である圧縮コイルバネ１８３、１８４と、
摘み抑え込みロック解除部１８２に設けられた、通された巻取り紐５８を引出し口１３１などの筐体１５７側ロック部位とで付勢挟持ロックするロック部である紐通し穴１８５とからなり、
親指と他の指で筐体１５７と摘み抑え込みロック解除部１８２を摘み該１８２を押込み移動させて巻取り紐５８の付勢挟持ロックを解除し、指を離すと圧縮コイルバネ１８３、１８４により紐通し穴１８５と引出し口１３１とによる巻取り紐５８の付勢挟持ロックが自動的に行われる。
【００３０】
＜第１９の実施の形態＞
図２５に示す本発明を実施するための最良の第１９の実施の形態において前記第１８の実施の形態と主に異なる点は、摘み抑え込みロック解除部支持案内部１８０、筐体１５７、プレート２、フック面ファスナ４を一体成形ににより一体的に形成してなる付勢巻取り式ネックストラップ装置１８８を形成した点にある。
１８９は筐体１５７の天板。
【００３１】
＜第２０の実施の形態＞
図２６に示す本発明を実施するための最良の第２０の実施の形態において前記第１９の実施の形態と主に異なる点は、筐体１９２内に横並びにリール１２６と同構成のリール１２６ａ、１２６ｂを横並びで設け、摘み抑え込みロック解除部１８２をリール１２６ａ、１２６ｂから引き出される巻取り紐５８、５８を同時にロック、ロック解除を行う横長の形態とした付勢巻取り式ネックストラップ装置１９３を形成した点にある。
巻取り紐５８、５８には首掛け帯紐６が繋がれ首掛けループ１２を形成する。
筐体１９２、リール１２６ａ、１２６ｂ、摘み抑え込みロック解除部１８２とで付勢巻取り装置１９４を形成する。
【００３２】
＜第２１の実施の形態＞
図２７に示す本発明を実施するための最良の第２１の実施の形態において前記第１４の実施の形態と主に異なる点は、摘み抑え込みロック解除部の構造を巻取り紐引出し口１３１から外に片唇形態で突き出したロック片２００を設け、筐体５７に移動可能に被さり形態で設けられた内設された付勢手段２０１により押し出し付勢されてなる摘み抑え込みロック解除部２０２を設け、この摘み抑え込みロック解除部２０２の側部にロック片２００と巻取り紐５８が通される穴形態ないし溝形態のロック部２０３を設けてなる付勢巻取り装置２０４を形成した点にある。
摘み抑え込みロック解除部２０２の解放状態では、付勢手段２０１の付勢力より巻取り紐５８はロック片２００とロック部２０３の内壁に付勢挟持状態のロック状態となっていて、付勢巻取り装置２０４を指で摘み摘み抑え込みロック解除部２０２を押え込むと、該２０２は内側に移動しロック片２００とロック部２０３の内壁は離れて巻取り紐５８が移動自由のロック解除状態となる。
【００３３】
＜第２２の実施の形態＞
図２８に示す本発明を実施するための最良の第２２の実施の形態において前記第７の実施の形態と主に異なる点は、首掛け紐部９０にかえて、端方に巻き取り紐５８を取り付けてなる首に掛ける形態に形成され該形態が崩れないような部材によりなる首掛け部体２０７を設けてなる付勢巻取り式ネックストラップ装置２０８を形成した点にある。
首掛け部体２０７は局部局部や全体に滑り止め部材による滑り止めがなされているのがよい。滑り止めはソフトな部材がよい。
「首に掛ける形態に形成され該形態が崩れないような部材」とは、針金状部材に滑り止め部材を被せたもの、射出成形等で成形されたものなどがある。
首掛け部体２０７の両端に付勢巻取り装置９２などの付勢巻取り装置を設け、一方に携帯電話を取り付け、他方にICカードやネームカードを取り付けるのもよい。
首掛け部体は携帯品の引き下ろし操作などの操作では変形することがない形態維持強度を有するとともに、手で曲げて好みの形態に変形させることができるものもよい。
【産業上の利用可能性】
【００３４】
本発明は携帯電話などの携帯補助具を製造する産業で利用される。
【図面の簡単な説明】
【００３５】
【図１】本発明を実施するための最良の第１の実施の形態の正面図、携帯電話を保持した側面図および携帯電話を保持し細紐ループ取付け部材を取付けた縮小正面図。
【図２】本発明を実施するための最良の第１の実施の形態の巻取り紐を通した状態のロック体の正面図、底面図、正面図中央横断面図および正面図中央縦断面図。
【図３】本発明を実施するための最良の第２の実施の形態の正面図、側面図、携帯電話を保持し側面図および携帯電話の平面図。
【図４】本発明を実施するための最良の第３の実施の形態の正面図、携帯電話を保持した背面図、携帯電話を保持した側面図および携帯電話の平面図。
【図５】本発明を実施するための最良の第４の実施の形態の正面図、携帯電話の背面図、携帯電話に装着した状態の背面図および携帯電話に装着した状態の側面図。
【図６】本発明を実施するための最良の第５の実施の形態の正面図、携帯電話の背面図、携帯電話を装着した状態の背面図および携帯電話に装着した状態の側面図。
【図７】本発明を実施するための最良の第６の実施の形態の正面図、ロック体のロック状態の平面図およびロック体のロック解除状態の平面図。
【図８】本発明を実施するための最良の第７の実施の形態の正面図（ａ）、下降移動させた状態の正面図（ｂ）および他の変形形態の正面図（ｃ）。
【図９】本発明を実施するための最良の第７の実施の形態のロック体のロック状態の正面図およびロック解除状態の正面図。
【図１０】本発明を実施するための最良の第７の実施の形態の使用状態図。
【図１１】本発明を実施するための最良の第８の実施の形態の正面図および部分拡大組立分解図。
【図１２】本発明を実施するための最良の第９の実施の形態のロック状態の正面図、ロック状態の側面図および巻き取り紐を引き出し延ばしたロック解除状態の側面図
【図１３】本発明を実施するための最良の第１０の実施の形態の正面図。
【図１４】本発明を実施するための最良の第１１の実施の形態の正面図、携帯電話を保持した状態の側面図および巻き取り紐を引き出し延ばし携帯電話を保持した状態の側面図。
【図１５】本発明を実施するための最良の第１２の実施の形態の付勢巻取り装置の断面図。
【図１６】本発明を実施するための最良の第１２の実施の形態の正面図。
【図１７】本発明を実施するための最良の第１３の実施の形態の正面図。
【図１８】本発明を実施するための最良の第１４の実施の形態の付勢巻取り装置のロック状態の断面図および付勢巻取り装置のロック解除状態の断面図。
【図１９】本発明を実施するための最良の第１４の実施の形態の正面図。
【図２０】本発明を実施するための最良の第１５の実施の形態の正面図。
【図２１】本発明を実施するための最良の第１６の実施の形態の正面図。
【図２２】本発明を実施するための最良の第１６の実施の形態の付勢巻取り装置のＡ−Ａ線切断断面図。
【図２３】本発明を実施するための最良の第１７の実施の形態の正面図。
【図２４】本発明を実施するための最良の第１８の実施の形態の正面図、側面図、A−A線切断拡大断面図。
【図２５】本発明を実施するための最良の第１９の実施の形態の正面図、側面図、A−A線切断拡大断面図。
【図２６】本発明を実施するための最良の第２０の実施の形態の正面図。
【図２７】本発明を実施するための最良の第２１の実施の形態のロック状態の断面図、ロック解除状態の断面図および平面図。
【図２８】本発明を実施するための最良の第２２の実施の形態の正面図および使用状態図。
【符号の説明】
【００３６】
Ｋ：携帯電話、
１：付勢巻取り式ネックストラップ装置、
２：プレート、
３：付勢巻取り装置、
４：フック面ファスナ、
５、５、５、５：掛け穴、
６：首掛け帯紐、
７：細紐ループ取付け部材、
８：開閉環、
９：前プレート、
１０：後プレート、
１１：筐体、
１２：首掛けループ、
１３：巻取り紐、
１４：巻取り紐、
１５：案内コロ、
１６：案内コロ、
１７：付勢巻取り装置本体、
１８：案内コロ、
１９：案内コロ、
２０：巻取り紐案内部、
２１：ロック体、
２２、２２：着脱パーツ、
２３：ループ面ファスナ、
３５：外駒、
３６：ヘッド、
３７：付勢手段入り部、
３８：支柱、
３９：挟持板、
４０：摘み抑え込みロック解除部（内駒）、
４１：押し出し付勢手段、
４２、４２：外駒紐通し孔、
４３、４３：分離部、
５０：フック、
５１：フック、
５３：付勢巻取り式ネックストラップ装置、
５４：フック掛、
５５：フック掛、
５６：付勢巻取り装置、
５７：筐体、
５８、５８：巻取り紐、
５９：付勢巻取り装置本体、
６０：付勢巻取り装置本体、
６１：フック面ファスナ、
６２：吊バンド、
６３：ループ面ファスナ、
６４：付勢巻取り式ネックストラップ装置、
６５：バンド通し掛り部、
６８：携帯品取付け部、
６９、６９、６９、６９：係止凹部、
７０：付勢巻取り式ネックストラップ装置、
７１，７１，７１，７１：携帯品側係止部、
７３、７３：巻取り紐、
７４：付勢巻取り装置本体、
７５：付勢巻取り式ネックストラップ装置、
７７：ロック体、
７８：付勢巻取り式ネックストラップ装置、
７９ａ、７９ｂ：支柱、
８０：下部プレート、
８１：上部プレート、
８２：可動体、
８３：挟持部、
８４ａ、８４ｂ：圧縮コイルバネ、
８６：付勢巻取り式ネックストラップ装置、
８７：ベースプレート、
８８：ロック体、
８９：カードケース、
９０：首掛け紐部、
９１：クリップ、
９２：付勢巻取り装置、
９３：紐通し穴、
９４：外駒、
９５：紐通し穴、
９６：摘み抑え込みロック解除部、
９７：圧縮コイルバネ、
９８：付勢巻取り装置、
９９：付勢巻取り式ネックストラップ装置、
１００：付勢巻取り装置、
１０３：雄パーツ、
１０４：紐通し部、
１０５：雌パーツ、
１０６：細吊り紐、
１０７：着脱パーツ、
１０８：ロック体、
１０９：摘み抑え込みロック解除部、
１１０：抑え嘴部位、
１１１：受け挟持部、
１１２、１１２ａ、１１２ｂ：付勢巻取り装置、
１１３：付勢巻取り式ネックストラップ装置、
１１４：指当て部、
１１６：連結部、
１１７：付勢巻取り式ネックストラップ装置、
１２０：付勢巻取り式ネックストラップ装置、
１２１：付勢巻取り装置、
１２４：付勢巻取り式ネックストラップ装置、
１２５、１２５ａ、１２５ｂ：付勢巻取り装置、
１２６、１２６ａ、１２６ｂ：リール、
１２７：開口部、
１２８：付勢巻取り装置本体、
１２９：ロック体、
１３０：付勢手段、
１３１：巻取り紐引出し口、
１３２：固定軸、
１３３：軸支部、
１３４：発条、
１３６：付勢巻取り式ネックストラップ装置、
１３９：付勢巻取り式ネックストラップ装置、
１４０、１４０ａ、１４０ｂ：付勢巻取り装置、
１４１：前鍔、
１４２：後鍔、
１４３：紐巻取り溝、
１４４：リール、
１４５：摘み抑え込みロック解除部通し穴、
１４６：案内軸、
１４７：圧縮コイルバネ、
１４８：リール当接ロック部、
１４９：可動体、
１５０：摘み抑え込みロック解除部、
１５１：付勢巻取り装置本体、
１５３：付勢巻取り式ネックストラップ装置、
１５５：付勢巻取り式ネックストラップ装置、
１５６：付勢巻取り装置、
１５７：筐体、
１５８：第１の固定支柱、
１５９：第２の固定支柱、
１６０：第１の発条、
１６１：第２の発条、
１６２：発条囲い部、
１６３：鍔部、
１６４：紐巻取り溝、
１６５：第１のリール、
１６６：第２のリール、
１６７：摘み抑え込みロック解除部し通し穴、
１６８：案内軸、
１６９：圧縮コイルバネ、
１７０：リール当接ロック部、
１７１：可動体、
１７２：摘み抑え込みロック解除部、
１７５：付勢巻取り式ネックストラップ装置、
１７８：付勢巻取り式ネックストラップ装置、
１７９：付勢巻取り装置、
１８０：摘み抑え込みロック解除部支持案内部、
１８１：摘み抑え込みロック解除部突出口、
１８２：摘み抑え込みロック解除部、
１８３：圧縮コイルバネ、
１８４：圧縮コイルバネ、
１８５：紐通し穴、
１８８：付勢巻取り式ネックストラップ装置、
１８９：天板、
１９０：巻取り紐案内コロ、
１９２：筐体、
１９３：付勢巻取り式ネックストラップ装置、
１９４：付勢巻取り装置
２００：ロック片、
２０１：付勢手段、
２０２：摘み抑え込みロック解除部、
２０３：ロック部、
２０４：付勢巻取り装置、
２０７：首掛け部体、
２０８：付勢巻取り式ネックストラップ装置。